(57)【要約】【課題】  視覚障害者が通信販売を手軽に行うことを支援するとともに、健常者にとっても使い勝手がよい受発注システムを提供する。【解決手段】  商品・サービス受発注システムは、商品・サービスの注文を行うユーザＵＳが所有する携帯電話端末機１０と、商品・サービスの注文に必要な情報を音声カタログとして提供する音声カタログ提供業者ＭＶＯＳが所有するサーバ装置２０とを備える。サーバ装置２０は、取り扱う商品・サービスに関する情報を携帯電話端末機１０によって音声読み上げ可能な音声データに変換して音声カタログとして当該携帯電話端末機１０に対して配信する。携帯電話端末機１０は、メニューデータに基づいて、音声カタログを読み上げ、読み上げられた音声に基づいてユーザＵＳによって選択操作された所望の商品及び／又はサービスの注文を行う。【選択図】  図２
2006048663.tif 000002
【特許請求の範囲】
【請求項１】
所定の商品及び／又はサービスの受発注を行う商品・サービス受発注システムであって、
商品及び／又はサービスの注文を行うユーザが所有するユーザ端末機と、
上記商品及び／又は上記サービスの注文に必要な情報を音声カタログとして提供する音声カタログ提供業者が所有するサーバ装置とを備え、
上記サーバ装置は、取り扱う商品及び／又はサービスに関する情報を上記ユーザ端末機によって音声読み上げ可能な音声ファイルに変換して上記音声カタログとして当該ユーザ端末機に対して配信し、
上記ユーザ端末機は、上記サーバ装置から配信された上記音声カタログを読み上げるとともに注文処理を行うアプリケーションプログラムを実装し、上記アプリケーションプログラムによって読み上げられた音声に基づいて上記ユーザによって操作子の操作が行われることによって選択された所望の商品及び／又はサービスの注文を行うこと
を特徴とする商品・サービス受発注システム。
【請求項２】
上記サーバ装置は、商品及び／又はサービスに関する情報を示すメニューファイルを上記ユーザ端末機に対して配信し、
上記ユーザ端末機は、上記サーバ装置から配信された上記メニューファイルに基づいて、読み上げるメニュー項目と音声ファイルとをマッチングし、当該メニュー項目を内容とする音声ファイルを検索して上記アプリケーションプログラムによって当該音声ファイルを読み上げること
を特徴とする請求項１記載の商品・サービス受発注システム。
【請求項３】
上記音声カタログは、商品及び／又はサービスをカテゴリ毎に区分けした分類毎に作成されており、
上記ユーザ端末機は、最上位のカテゴリから下位のカテゴリの順序で、各カテゴリ毎に登録されている音声カタログを上記アプリケーションプログラムによって読み上げることによって上記ユーザに提示して操作子の操作によって一の候補を選択させる処理を繰り返し、当該ユーザが所望する商品及び／又はサービスを絞り込むこと
を特徴とする請求項１記載の商品・サービス受発注システム。
【請求項４】
上記ユーザ端末機は、上記ユーザが当該ユーザ端末機における任意の操作子を押下し続けることで音声カタログに登録されている項目を順次読み上げ、所望の項目が読み上げられた後に、押下している操作子を離すことにより、下位のカテゴリの選択操作に移行すること
を特徴とする請求項３記載の商品・サービス受発注システム。
【請求項５】
上記ユーザ端末機は、一のカテゴリの音声カタログに登録されている項目を順次読み上げる際に、所望の項目が読み上げられた後に、任意の操作子を押下することにより、下位のカテゴリの選択操作に移行すること
を特徴とする請求項３記載の商品・サービス受発注システム。
【請求項６】
上記ユーザ端末機は、端末設定データベースに設定された設定内容に基づいて、上記アプリケーションプログラムによって読み上げる上記音声カタログのチューニングを行うこと
を特徴とする請求項１記載の商品・サービス受発注システム。
【請求項７】
上記ユーザ端末機は、上記端末設定データベースに設定された設定内容に基づいて、読み上げ対象の音声ファイルの出力レベルを変更すること
を特徴とする請求項６記載の商品・サービス受発注システム。
【請求項８】
上記ユーザ端末機は、読み上げ内容が同一であり且つ読み上げ速度が異なる音声ファイルを互いに異なるフォルダに同一ファイル名で記憶手段に格納し、上記端末設定データベースに設定された設定内容に基づいて、読み出す音声ファイルを変更すること
を特徴とする請求項６記載の商品・サービス受発注システム。
【請求項９】
上記ユーザ端末機は、読み上げ内容が同一であり且つ音質が異なる音声ファイルを互いに異なるフォルダに同一ファイル名で記憶手段に格納し、上記端末設定データベースに設定された設定内容に基づいて、読み出す音声ファイルを変更すること
を特徴とする請求項６記載の商品・サービス受発注システム。
【請求項１０】
上記ユーザ端末機は、上記端末設定データベースに設定された設定内容に基づいて、読み上げ対象の音声ファイルの再生周波数を変更すること
を特徴とする請求項６記載の商品・サービス受発注システム。
【請求項１１】
上記ユーザ端末機は、端末設定データベースに設定された設定内容に基づいて、表示手段の表示形態を変更すること
を特徴とする請求項１記載の商品・サービス受発注システム。
【請求項１２】
上記ユーザ端末機は、上記端末設定データベースに設定された設定内容に基づいて、上記表示手段に表示する文字の大きさを任意倍率に変更すること
を特徴とする請求項１１記載の商品・サービス受発注システム。
【請求項１３】
上記ユーザ端末機は、上記端末設定データベースに設定された設定内容に基づいて、上記表示手段の背景色及び／又は文字色を変更すること
を特徴とする請求項１１記載の商品・サービス受発注システム。
【請求項１４】
上記ユーザ端末機は、上記端末設定データベースに設定された設定内容に基づいて、上記表示手段に表示する文字種を変更すること
を特徴とする請求項１１記載の商品・サービス受発注システム。
【請求項１５】
商品及び／又はサービスを化体した物品を納入する納入業者が所有する情報処理装置を備え、
上記情報処理装置は、上記商品及び／又はサービスに関する情報を上記サーバ装置に登録すること
を特徴とする請求項１記載の商品・サービス受発注システム。
【請求項１６】
上記サーバ装置は、上記情報処理装置によって上記商品及び／又はサービスに関する情報が登録されるのに応じて、上記ユーザ端末機によって音声読み上げ可能な音声ファイルを登録すること
を特徴とする請求項１５記載の商品・サービス受発注システム。
【請求項１７】
上記サーバ装置は、上記情報処理装置を介して入力された上記商品及び／又はサービスに関する情報について文字認識を行い、認識した文字列を上記ユーザ端末機によって音声読み上げ可能な音声ファイルに変換すること
を特徴とする請求項１６記載の商品・サービス受発注システム。
【請求項１８】
上記サーバ装置は、上記情報処理装置によって上記商品及び／又はサービスに関する情報が登録されるのに応じて、音声データのスタジオ録音を発注し、スタジオ録音された音声データを上記ユーザ端末機によって音声読み上げ可能な音声ファイルに変換すること
を特徴とする請求項１６記載の商品・サービス受発注システム。
【請求項１９】
上記サーバ装置は、上記情報処理装置によって上記商品及び／又はサービスに関する情報が登録されるのに応じて、所定の録音用アプリケーションプログラムが実装された携帯端末機を所有する所有者に所定条件以上の環境での録音を依頼し、
上記携帯端末機は、上記録音用アプリケーションプログラムを起動し、表示画面に表示された録音が要求される文章から所望の文章が選択操作されるのに応じて、録音可能状態へと移行し、録音された音声データを上記サーバ装置に対して送信し、
上記サーバ装置は、上記音声データを上記ユーザ端末機によって音声読み上げ可能な音声ファイルに変換すること
を特徴とする請求項１６記載の商品・サービス受発注システム。
【請求項２０】
上記サーバ装置は、登録した音声ファイルを実際に出力し、誤りがある場合には修正する処理を行うこと
を特徴とする請求項１６記載の商品・サービス受発注システム。
【請求項２１】
上記サーバ装置は、ウェブサービスサーバ、及び少なくとも上記商品・サービスに関する情報を保持するデータベースサーバとして構成され、
上記ユーザ端末機は、ウェブサービスクライアント端末機として構成されること
を特徴とする請求項１記載の商品・サービス受発注システム。
【請求項２２】
上記ユーザ端末機には、操作子が並設された領域に被覆して操作を補助する構造とされる所定のカバーが着脱自在に取り付けられること
を特徴とする請求項１記載の商品・サービス受発注システム。
【請求項２３】
上記サーバ装置は、アクセスされたユーザ端末機の認証を行うことによって当該ユーザ端末機との間で暗号化された通信路を確立すること
を特徴とする請求項１記載の商品・サービス受発注システム。
【請求項２４】
上記ユーザ端末機は、携帯電話端末機であること
を特徴とする請求項１乃至請求項２３のうちいずれか１項記載の商品・サービス受発注システム。
【請求項２５】
所定の商品及び／又はサービスの受発注を行う商品・サービス受発注方法であって、
商品及び／又はサービスの注文に必要な情報を音声カタログとして提供する音声カタログ提供業者が所有するサーバ装置によって取り扱う商品及び／又はサービスに関する情報を、商品及び／又はサービスの注文を行うユーザが所有するユーザ端末機によって音声読み上げ可能な音声ファイルに変換する工程と、
上記サーバ装置から上記ユーザ端末機に対して、変換した音声ファイルを上記音声カタログとして配信する工程と、
上記サーバ装置から上記ユーザ端末機に対して配信された上記音声カタログを当該ユーザ端末機に実装されたアプリケーションプログラムによって読み上げ、読み上げられた音声に基づいて上記ユーザによって操作子の操作が行われることによって選択された所望の商品及び／又はサービスの注文を行う工程とを備えること
を特徴とする商品・サービス受発注方法。
【請求項２６】
所定の商品及び／又はサービスの受発注を行う商品・サービス受発注システムにて用いられ、商品及び／又はサービスの注文を行うユーザが所有するユーザ端末機との間で通信を行うサーバ装置であって、
取り扱う商品及び／又はサービスに関する情報を上記ユーザ端末機によって音声読み上げ可能な音声ファイルに変換する手段と、
変換した音声ファイルを、商品及び／又はサービスの注文に必要な情報を音声カタログとして上記ユーザ端末機に対して配信する手段とを備えること
を特徴とするサーバ装置。
【請求項２７】
商品及び／又はサービスに関する情報を示すメニューファイルを上記ユーザ端末機に対して配信する手段を備えること
を特徴とする請求項２６記載のサーバ装置。
【請求項２８】
所定の商品及び／又はサービスの受発注を行う商品・サービス受発注システムにて用いられ、商品及び／又はサービスの注文を行うユーザが所有する端末装置であって、
商品及び／又はサービスの注文に必要な情報を音声カタログとして提供する音声カタログ提供業者が所有するサーバ装置から配信された上記音声カタログを読み上げる手段と、
読み上げた音声に基づいて上記ユーザによって操作子の操作が行われることによって選択された所望の商品及び／又はサービスの注文を行う手段とを備えること
を特徴とする端末装置。
【請求項２９】
上記音声カタログを読み上げる手段は、上記サーバ装置から配信された上記メニューファイルに基づいて、読み上げるメニュー項目と音声ファイルとをマッチングし、当該メニュー項目を内容とする音声ファイルを検索して当該音声ファイルを読み上げること
を特徴とする請求項２８記載の端末装置。
【発明の詳細な説明】
【技術分野】
【０００１】
本発明は、所定の商品及び／又はサービスの受発注を行う商品・サービス受発注システム及び商品・サービス受発注方法、並びにこの商品・サービス受発注システムにて用いられるサーバ装置及び端末装置に関する。
【背景技術】
【０００２】
近年、携帯電話端末機の普及は目覚ましいものがあり、現在約８２００万人以上の利用者が存在する。かかる普及は、通話機能のみならず、インターネットへの接続や電子メールの授受等、視覚的な情報を介したサービス機能を搭載したことが大きな理由であり、現在では、例えばいわゆるＢ２Ｃ（Business to Consumer）やＢ２Ｂ（Business to Business）といった電子商取引等のインターネットサービスも提供されている。
【０００３】
しかしながら、視覚的な情報を介したサービス機能を搭載した携帯電話端末機においては、視覚障害者は取り残されてしまっているのが現状であり、視覚障害者と健常者との情報格差の拡大が懸念されている。そこで、このような懸念に鑑み、視覚障害者向けのサービスを提供しようという試みがなされつつある（例えば、非特許文献１参照。）。
【０００４】
【非特許文献１】通信・放送機構（現・独立行政法人情報通信研究機構、"ＪＡＶＡ（登録商標）アプリを用いた視覚障害者向け携帯電話メール入出力支援システムの研究開発"、［online］、［平成１６年２月１６日検索］、インターネット＜URL:http://www.shiba.tao.go.jp/sien/barrierfree/study/siryou/siryou3.htm/＞
【０００５】
具体的には、この非特許文献１には、携帯電話端末機に音声読み上げ用のＪＡＶＡ（登録商標）アプリケーションを実装し、サーバが電子メールを受信すると、ユーザの携帯電話端末機に対して電子メールを受信した旨を通知し、ユーザからのリクエストに応じて、サーバによって受信した電子メールをウェブ化して当該携帯電話端末機に表示させるとともにＪＡＶＡ（登録商標）アプリケーションによって当該電子メールのテキストデータを読み上げる技術が開示されている。また、この非特許文献１には、電子メールの返信時には、携帯電話端末機によって作成された電子メールをサーバに対して転送すると、サーバによって受信した電子メールをウェブ化して当該携帯電話端末機に表示させるとともに当該携帯電話端末機に実装されたＪＡＶＡ（登録商標）アプリケーションによって当該電子メールのテキストデータを読み上げ、確認後、サーバから当該電子メールを送信する技術が開示されている。
【発明の開示】
【発明が解決しようとする課題】
【０００６】
しかしながら、かかる携帯電話端末機を用いた視覚障害者向けのサービスは、未だアプリケーションが非常に少ないのが現状である。例えば、基本的な生活の一部として提供されている通信販売（カタログ販売）の注文でさえも、視覚障害者が手軽に使用することができるツールは皆無である。
【０００７】
具体的には、携帯電話端末機を用いた従来の商品・サービス受発注システムにおいては、ユーザが予め携帯電話端末機に登録しておいた店舗のＵＲＬ（Uniform Resource Locator）の選択操作を行い、表示画面に表示された商品カテゴリの中から所望のカテゴリの選択操作を行い、表示画面に表示された所望のカテゴリの中から所望の商品の選択操作を行い、表示画面に表示された所望の商品の詳細情報を確認し、購入を決定した場合にはその商品を仮想的な買い物籠に追加するための操作を行い、購入数量を決定するための操作を行い、支払い方法の選択操作を行い、購入確定操作を行う、といったように、小さな表示画面を視認しながら小さなキーやボタンの操作を行う必要があった。
【０００８】
このように、携帯電話端末機を用いた従来の商品・サービス受発注システムは、視覚障害者が手軽に使用することが極めて困難なものであり、手軽に使用可能なサービスの実現が待望されている。
【０００９】
本発明は、このような実情に鑑みてなされたものであり、将来のユビキタス情報社会にて多角化して進化し、生活全般になくてはならないツールとして発展・利用されるものと考えられる携帯電話端末機を用いて視覚障害者が通信販売を手軽に行うことを支援するとともに、健常者にとっても使い勝手がよい商品・サービス受発注システム及び商品・サービス受発注方法、並びにこの商品・サービス受発注システムにて用いられるサーバ装置及び端末装置を提供することを目的とする。
【課題を解決するための手段】
【００１０】
上述した目的を達成する本発明にかかる商品・サービス受発注システムは、所定の商品及び／又はサービスの受発注を行う商品・サービス受発注システムであって、商品及び／又はサービスの注文を行うユーザが所有するユーザ端末機と、上記商品及び／又は上記サービスの注文に必要な情報を音声カタログとして提供する音声カタログ提供業者が所有するサーバ装置とを備え、上記サーバ装置は、取り扱う商品及び／又はサービスに関する情報を上記ユーザ端末機によって音声読み上げ可能な音声ファイルに変換して上記音声カタログとして当該ユーザ端末機に対して配信し、上記ユーザ端末機は、上記サーバ装置から配信された上記音声カタログを読み上げるとともに注文処理を行うアプリケーションプログラムを実装し、上記アプリケーションプログラムによって読み上げられた音声に基づいて上記ユーザによって操作子の操作が行われることによって選択された所望の商品及び／又はサービスの注文を行うことを特徴としている。
【００１１】
このような本発明にかかる商品・サービス受発注システムは、サーバ装置と連携するユーザ端末機に実装されたアプリケーションプログラムによって読み上げられる音声によるガイダンスにしたがって商品及び／又はサービスの注文を行う。
【００１２】
このとき、上記サーバ装置は、商品及び／又はサービスに関する情報を示すメニューファイルを上記ユーザ端末機に対して配信し、上記ユーザ端末機は、上記サーバ装置から配信された上記メニューファイルに基づいて、読み上げるメニュー項目と音声ファイルとをマッチングし、当該メニュー項目を内容とする音声ファイルを検索して上記アプリケーションプログラムによって当該音声ファイルを読み上げる。これにより、本発明にかかる商品・サービス受発注システムにおいては、アプリケーションプログラムを一切変更することなく、取り扱う商品及び／又はサービスの変更に応じてメニューを変更することができ、適切な音声ファイルの読み上げを行うことが可能となる。
【００１３】
ここで、  上記音声カタログは、商品及び／又はサービスをカテゴリ毎に区分けした分類毎に作成されており、上記ユーザ端末機は、最上位のカテゴリから下位のカテゴリの順序で、各カテゴリ毎に登録されている音声カタログを上記アプリケーションプログラムによって読み上げることによって上記ユーザに提示して操作子の操作によって一の候補を選択させる処理を繰り返し、当該ユーザが所望する商品及び／又はサービスを絞り込む。すなわち、本発明にかかる商品・サービス受発注システムにおいては、階層的な概念からなるカテゴリに区分けされた分類に基づいて、商品及び／又はサービスを絞り込む選択動作を行う。これにより、本発明にかかる商品・サービス受発注システムにおいては、極めて効率よく商品及び／又はサービスの絞り込みを行うことが可能となる。
【００１４】
また、本発明にかかる商品・サービス受発注システムにおいては、視覚障害者の使用を鑑みて、任意の操作子の操作によって確実に商品及び／又はサービスの注文を行うことができる仕組みを採用するのが望ましい。具体的には、上記ユーザ端末機は、上記ユーザが当該ユーザ端末機における任意の操作子を押下し続けることで音声カタログに登録されている項目を順次読み上げ、所望の項目が読み上げられた後に、押下している操作子を離すことにより、下位のカテゴリの選択操作に移行するようにしてもよい。また、上記ユーザ端末機は、一のカテゴリの音声カタログに登録されている項目を順次読み上げる際に、所望の項目が読み上げられた後に、任意の操作子を押下することにより、下位のカテゴリの選択操作に移行するようにしてもよい。本発明にかかる商品・サービス受発注システムにおいては、このような操作を全てのカテゴリについての選択操作に適用することにより、容易且つ確実に所望の商品及び／又はサービスの注文を行うことが可能となる。
【００１５】
さらに、上記ユーザ端末機は、端末設定データベースに設定された設定内容に基づいて、上記アプリケーションプログラムによって読み上げる上記音声カタログのチューニングを行うこともできる。具体的には、上記ユーザ端末機は、上記端末設定データベースに設定された設定内容に基づいて、読み上げ対象の音声ファイルの出力レベルを変更することにより、音量を変更することができる。また、上記ユーザ端末機は、読み上げ内容が同一であり且つ読み上げ速度が異なる音声ファイルを互いに異なるフォルダに同一ファイル名で記憶手段に格納し、上記端末設定データベースに設定された設定内容に基づいて、読み出す音声ファイルを変更することにより、読み上げ速度を変更することができる。さらに、上記ユーザ端末機は、読み上げ内容が同一であり且つ音質が異なる音声ファイルを互いに異なるフォルダに同一ファイル名で記憶手段に格納し、上記端末設定データベースに設定された設定内容に基づいて、読み出す音声ファイルを変更することにより、音質を変更することができる。さらにまた、上記ユーザ端末機は、上記端末設定データベースに設定された設定内容に基づいて、読み上げ対象の音声ファイルの再生周波数を変更することにより、音の高低を変更することができる。本発明にかかる商品・サービス受発注システムにおいては、このようなチューニング機能をユーザ端末機にもたせることにより、ユーザの嗜好に応じた商品及び／又はサービスの注文環境を実現することができる。
【００１６】
さらにまた、上記ユーザ端末機は、端末設定データベースに設定された設定内容に基づいて、表示手段の表示形態を変更するようにしてもよい。具体的には、上記ユーザ端末機は、上記端末設定データベースに設定された設定内容に基づいて、上記表示手段に表示する文字の大きさを任意倍率に変更することができる。また、上記ユーザ端末機は、上記端末設定データベースに設定された設定内容に基づいて、上記表示手段の背景色及び／又は文字色を変更することができる。さらに、上記ユーザ端末機は、上記端末設定データベースに設定された設定内容に基づいて、上記表示手段に表示する文字種を変更することができる。本発明にかかる商品・サービス受発注システムにおいては、このような表示形態の変更機能をユーザ端末機にもたせることにより、様々な症状のユーザの操作を容易とすることができる。
【００１７】
また、本発明にかかる商品・サービス受発注システムは、商品及び／又はサービスを化体した物品を納入する納入業者が所有する情報処理装置を備える。そして、上記情報処理装置は、上記商品及び／又はサービスに関する情報を上記サーバ装置に登録する。このとき、上記サーバ装置は、上記情報処理装置によって上記商品及び／又はサービスに関する情報が登録されるのに応じて、上記ユーザ端末機によって音声読み上げ可能な音声ファイルを登録する。これにより、本発明にかかる商品・サービス受発注システムにおいては、新たな商品及び／又はサービスの入荷にともない、納入業者が容易に情報を変更することが可能となる。
【００１８】
なお、音声ファイルの登録方法としては、主に３通りの方法が挙げられる。まず、第１の方法としては、入力された各種情報に基づいて、サーバ装置によって音声ファイルを作成することが挙げられる。すなわち、上記サーバ装置は、上記情報処理装置を介して入力された上記商品及び／又はサービスに関する情報について文字認識を行い、認識した文字列を上記ユーザ端末機によって音声読み上げ可能な音声ファイルに変換すればよい。また、第２の方法としては、スタジオ録音された音声ファイルを登録することが挙げられる。すなわち、上記サーバ装置は、上記情報処理装置によって上記商品及び／又はサービスに関する情報が登録されるのに応じて、音声データのスタジオ録音を発注し、スタジオ録音された音声データを上記ユーザ端末機によって音声読み上げ可能な音声ファイルに変換すればよい。さらに、第３の方法としては、所定の録音用アプリケーションプログラムを用いた所定条件以上の環境での録音を依頼し、この音声ファイルを登録することが挙げられる。すなわち、上記サーバ装置は、上記情報処理装置によって上記商品及び／又はサービスに関する情報が登録されるのに応じて、所定の録音用アプリケーションプログラムが実装された携帯端末機を所有する所有者に所定条件以上の環境での録音を依頼し、上記携帯端末機は、上記録音用アプリケーションプログラムを起動し、表示画面に表示された録音が要求される文章から所望の文章が選択操作されるのに応じて、録音可能状態へと移行し、録音された音声データを上記サーバ装置に対して送信する。そして、上記サーバ装置は、上記音声データを上記ユーザ端末機によって音声読み上げ可能な音声ファイルに変換すればよい。
【００１９】
ここで、上記サーバ装置は、登録した音声ファイルを実際に出力し、誤りがある場合には修正する処理を行うのが望ましい。これにより、本発明にかかる商品・サービス受発注システムにおいては、ユーザ端末機によって音声データに変換することによる誤変換を確実に防止することができ、信頼性を向上させることができる。
【００２０】
なお、上記サーバ装置は、ウェブサービスサーバ、及び少なくとも上記商品・サービスデータを保持するデータベースサーバとして構成され、上記ユーザ端末機は、ウェブサービスクライアント端末機として構成されるのが望ましい。すなわち、本発明にかかる商品・サービス受発注システムは、ウェブサービスを基盤技術として構築することにより、従来のウェブシステムの欠点を克服し、セキュリティ面の実装に関して最適なサービス形態を提供することができる。
【００２１】
また、上記ユーザ端末機には、操作子が並設された領域に被覆して操作を補助する構造とされる所定のカバーが着脱自在に取り付けられるのが望ましい。これにより、本発明にかかる商品・サービス受発注システムにおいては、視覚障害者がユーザとしてユーザ端末機を操作する際の利便を向上させることができる。
【００２２】
さらに、上記サーバ装置は、セキュリティを確保するために、アクセスされたユーザ端末機の認証を行うことによって当該ユーザ端末機との間で暗号化された通信路を確立するのが望ましい。
【００２３】
なお、上記ユーザ端末機としては、携帯電話端末機を用いるのが最適である。
【００２４】
また、上述した目的を達成する本発明にかかる商品・サービス受発注方法は、所定の商品及び／又はサービスの受発注を行う商品・サービス受発注方法であって、商品及び／又はサービスの注文に必要な情報を音声カタログとして提供する音声カタログ提供業者が所有するサーバ装置によって取り扱う商品及び／又はサービスに関する情報を、商品及び／又はサービスの注文を行うユーザが所有するユーザ端末機によって音声読み上げ可能な音声ファイルに変換する工程と、上記サーバ装置から上記ユーザ端末機に対して、変換した音声ファイルを上記音声カタログとして配信する工程と、上記サーバ装置から上記ユーザ端末機に対して配信された上記音声カタログを当該ユーザ端末機に実装されたアプリケーションプログラムによって読み上げ、読み上げられた音声に基づいて上記ユーザによって操作子の操作が行われることによって選択された所望の商品及び／又はサービスの注文を行う工程とを備えることを特徴としている。
【００２５】
さらに、上述した目的を達成する本発明にかかるサーバ装置は、所定の商品及び／又はサービスの受発注を行う商品・サービス受発注システムにて用いられ、商品及び／又はサービスの注文を行うユーザが所有するユーザ端末機との間で通信を行うサーバ装置であって、取り扱う商品及び／又はサービスに関する情報を上記ユーザ端末機によって音声読み上げ可能な音声ファイルに変換する手段と、変換した音声ファイルを、商品及び／又はサービスの注文に必要な情報を音声カタログとして上記ユーザ端末機に対して配信する手段とを備えることを特徴としている。
【００２６】
さらにまた、上述した目的を達成する本発明にかかる端末装置は、所定の商品及び／又はサービスの受発注を行う商品・サービス受発注システムにて用いられ、商品及び／又はサービスの注文を行うユーザが所有する端末装置であって、商品及び／又はサービスの注文に必要な情報を音声カタログとして提供する音声カタログ提供業者が所有するサーバ装置から配信された上記音声カタログを読み上げる手段と、読み上げた音声に基づいて上記ユーザによって操作子の操作が行われることによって選択された所望の商品及び／又はサービスの注文を行う手段とを備えることを特徴としている。
【００２７】
このような本発明にかかる商品・サービス受発注方法、並びにサーバ装置及び端末装置においては、サーバ装置と連携するユーザ端末機に実装されたアプリケーションプログラムによって読み上げられる音声によるガイダンスにしたがって商品及び／又はサービスの注文を行う。
【発明の効果】
【００２８】
本発明は、ユーザ端末機を用いた極めて簡便な操作のみで、視覚障害者が通信販売を手軽に行うことを支援することができる。また、本発明は、視覚障害者のみならず高齢者といったユーザ端末機の操作に不慣れなユーザであっても容易に通信販売を利用することを可能とし、健常者にとっても使い勝手がよいサービスを提供することができる。
【発明を実施するための最良の形態】
【００２９】
以下、本発明を適用した具体的な実施の形態について図面を参照しながら詳細に説明する。
【００３０】
この実施の形態は、通信販売（カタログ販売）形態により、食品や日用品等の各種商品及び／又は各種サービスを受発注する商品・サービス受発注システムである。この商品・サービス受発注システムは、ユーザが所有する携帯電話端末機に音声を読み上げるためのアプリケーションプログラムを実装し、従来の視覚的な情報からなるカタログの代わりに音声によって内容を提示する音声カタログを提供することにより、健常者のみならず視覚障害者であっても、携帯電話端末機を用いて通信販売を手軽に行うことができるものである。
【００３１】
なお、この商品・サービス受発注システムは、携帯電話端末機に実装できるアプリケーションプログラムのデータ規模の増大化とパケット通信料金の低廉化とに着目して考案されたものであり、携帯電話端末機と業務用サーバ装置との連携技術として実用段階になりつつあるＪＡＶＡ（登録商標）によるウェブサービスを基盤技術とし、ウェブサービスサーバと、ＪＡＶＡ（登録商標）アプリケーションプログラムが実装された携帯電話端末機とを用いて構成されるものである。
【００３２】
ここで、ウェブサービスとは、いわゆるＸＭＬ（eXtensible Markup Language）を用いてリモート環境でオブジェクトをアクセスするためのプロトコルであるＳＯＡＰ（Simple Object Access Protocol）形式のメッセージ交換により、ネットワーク上の自律したアプリケーションを連携させる技術のことであり、近年、企業間や組織間のコラボレーションを実現するためにウェブ上でシステムを連携させることが可能な技術である。従来のウェブシステムにおいては、ブラウザからの入力データをウェブアプリケーションが受け取り、その処理結果をブラウザに表示させる、といった形式のものが一般的である。したがって、従来のウェブシステムにおいては、ウェブサーバとクライアントとの間でのみデータの授受が行われ、処理結果がいわゆるＨＴＭＬ（HyperText Markup Language）形式でクライアントに返されることから、データをさらに処理したり加工したりすることはできない。これに対して、ウェブサービスにおいては、処理結果をＨＴＭＬ形式ではなくＸＭＬ形式で授受することから、クライアントにおいてデータをさらに処理したり加工したりすることができる。また、従来のウェブシステムにおいては、ユーザがクライアントを用いてウェブサーバにアクセスし、その処理結果をブラウザを介して閲覧するのに対して、ウェブサービスにおいては、アプリケーションプログラムからウェブサーバにアクセスし、その処理結果をＸＭＬ形式のデータとして受け取ることから、呼び出し元のアプリケーションプログラムによってそのデータをさらに処理したり加工したりすることが可能とされる。
【００３３】
本発明の実施の形態として示す商品・サービス受発注システムは、現段階ではほとんど実現されていない、携帯電話端末機をクライアントとしたウェブサービスを基盤技術として構築されるものであり、セキュリティ面の実装に関して最適なサービス形態である。
【００３４】
以下、かかる商品・サービス受発注システムについて詳述する。
【００３５】
商品・サービス受発注システムは、図１に示すように、携帯電話端末機と、ウェブサーバと、クライアントとの３部に大別される。携帯電話端末機は、音声カタログを読み上げるとともに注文処理を行うショッピングアプリケーションプログラムと、各種情報の更新等を行うデータ更新アプリケーションプログラムとを実装して構成される。なお、これらショッピングアプリケーションプログラム及びデータ更新アプリケーションプログラムは、１つのアプリケーションプログラムとして構成されるものであってもよいため、以下では、携帯用アプリケーションプログラムと称するものとする。また、サーバサイドは、各商品及び／又はサービスに関する情報を示すメニューデータを管理するメニュー管理データベースと、注文データを管理する注文データ管理データベースと、音声カタログを構成する音声データやメニューデータをファイルとして格納する音声・メニューファイルサーバと、音声データやメニューデータからなるファイルを携帯電話端末機に対して配信する音声・メニューファイル配信アプリケーションプログラムとから構成される。さらに、クライアントは、注文データを管理する注文データ管理アプリケーションプログラムと、メニューデータを作成するメニュー作成アプリケーションプログラムとを実装して構成される。
【００３６】
このような商品・サービス受発注システムは、具体的には図２に示すように、商品及び／又はサービスの注文を行うユーザＵＳと、商品及び／又はサービスの注文に必要な情報を音声カタログとして提供する音声カタログ提供業者ＭＶＯＳと、注文があった商品及び／又は注文があったサービスを化体した物品をユーザＵＳへと配送する宅配サービス業者ＤＬＳＶと、商品及び／又はサービスを化体した物品を納入する納入業者ＧＤＤＬとに、それぞれ、携帯電話端末機やサーバ装置等を所有させることによって実現される。
【００３７】
ユーザＵＳは、ユーザ端末機としての携帯電話端末機１０を所有する。携帯電話端末機１０は、インターネットに接続可能ないわゆるブラウザフォンとして構成され、図示しないＣＰＵ（Central Processing Unit）によって実行されるＪＡＶＡ（登録商標）アプリケーションプログラムとしての携帯用アプリケーションプログラムが実装されて構成される。また、携帯電話端末機１０には、ウェブサービスクライアント環境が構築される。具体的には、携帯電話端末機１０は、メッセージ交換のプロトコルとして上述したＳＯＡＰに基づいて動作し、ＸＭＬ文書を解析するためのＸＭＬパーサが実装されて構成される。このような携帯電話端末機１０は、後述するような手続きを経ることにより、音声による商品及び／又はサービス注文のガイダンス機能を実現する。
【００３８】
音声カタログ提供業者ＭＶＯＳは、商品及び／又はサービスの注文に必要な情報を音声カタログとして提供する業者であり、いわゆるリナックス（Ｌｉｎｕｘ）（登録商標）等をＯＳ（Operating System）とするコンピュータから構成されたウェブサービスサーバ及びデータベースサーバとしてのサーバ装置２０１，２０２を所有する。これらサーバ装置２０１，２０２のうち、一方のサーバ装置２０１は、商品及び／又はサービスの注文に必要な情報を管理する商品・サービス情報管理システムとして構成される。サーバ装置２０１は、取り扱う商品及び／又はサービスに関する情報であるメニューデータをデータベースとして管理するとともに、このメニューデータとして登録された全ての商品及び／又はサービスに関する情報を音声データからなる音声カタログとして管理する。また、サーバ装置２０１は、顧客たるユーザＵＳに関する情報を顧客情報としてデータベースに保持して管理する。一方、他方のサーバ装置２０２は、サーバ装置２０１によって管理されているメニューデータや音声データをユーザＵＳが所有する携帯電話端末機１０に対して配信する商品・サービス情報配信システムとして構成される。サーバ装置２０２は、ユーザＵＳによる携帯電話端末機１０からのアクセスに応じて、サーバ装置２０１によって管理されているメニューデータや音声データを読み出し、当該携帯電話端末機１０に対して配信する。なお、これらサーバ装置２０１，２０２は、別個の装置として構成されてもよく、また、１つの装置として構成されてもよい。したがって、以下では、これらサーバ装置２０１，２０２を単にサーバ装置２０と称するものとする。
【００３９】
宅配サービス業者ＤＬＳＶは、注文があった商品及び／又はサービスを受注して、その商品及び／又はサービスを化体した物品をユーザＵＳへと配送する業者であり、リナックス（登録商標）等をＯＳとするコンピュータから構成されたウェブサービスサーバ及びデータベースサーバとしてのサーバ装置３０を所有する。このサーバ装置３０は、ユーザＵＳによる商品及び／又はサービスの注文を受注する受注システム、音声カタログ提供業者ＭＶＯＳが所有するサーバ装置２０にデータベースとして管理されている商品及び／又はサービスに関する情報の照会を行う商品・サービス情報照会システム、商品及び／又はサービスの在庫を管理する商品・サービス在庫管理システム、納入業者ＧＤＤＬに対して商品及び／又はサービスの発注を行う発注システム、商品及び／又はサービスの売り上げを管理する売上管理システム、及び実際に販売した商品及び／又はサービスを管理する販売管理システムとして構成される。また、このサーバ装置３０は、いわゆるＡＳＰ（Application Service Provider）サービスにおけるサーバファームとして機能し、在庫を照会するために実行する在庫照会ウェブＡＰ（Web Application Port）や注文を受け付けるために実行する注文受付ウェブＡＰ、さらには納入業者ＧＤＤＬに対する出荷指示を実行する出荷指示ウェブＡＰ等を実装する。そして、サーバ装置３０は、顧客たるユーザＵＳに関する情報を顧客情報としてデータベースに保持するとともに、個々の注文に関する注文データをデータベースに保持し、これら顧客情報や注文データを管理する。
【００４０】
納入業者ＧＤＤＬは、宅配サービス業者ＤＬＳＶの指示に応じて商品及び／又はサービスを化体した物品納入する業者であり、例えば、小売店、ケータリングサービス事業者、コンビニエンスストア等が該当する。納入業者ＧＤＤＬは、ウィンドウズ（登録商標）等をＯＳとするコンピュータから構成されたクライアントとしての情報処理装置４０を所有する。この情報処理装置４０は、メニューデータを作成するメニュー作成アプリケーションプログラムを実装し、音声カタログ提供業者ＭＶＯＳに対して商品及び／又はサービスに関する情報を書き込む商品・サービス情報書き込みシステムとして構成される。また、情報処理装置４０は、注文データを管理する注文データ管理アプリケーションプログラムを実装し、この注文データに基づいて、商品及び／又はサービスの売り上げを管理する売上管理システム、並びに商品及び／又はサービスを管理する商品・サービス管理システムとして構成される。そして、情報処理装置４０は、顧客たるユーザＵＳに関する情報を顧客情報としてデータベースに保持するとともに、在庫情報もデータベースとして保持し、これら顧客情報や在庫情報を管理する。
【００４１】
なお、商品・サービス受発注システムにおいては、特にケータリングサービス事業者等のように、宅配サービス業者ＤＬＳＶと納入業者ＧＤＤＬとが同一業者であってもよい。すなわち、商品・サービス受発注システムにおいては、サーバ装置３０と情報処理装置４０との機能を実現する１つ又は複数の装置を当該事業者が所有している場合であっても適用することができる。ただし、以下では、説明の便宜上、サーバ装置３０と情報処理装置４０とに区別して説明するものとする。
【００４２】
このような商品・サービス受発注システムにおいては、音声カタログ提供業者ＭＶＯＳ、宅配サービス業者ＤＬＳＶ、及び納入業者ＧＤＤＬが互いにウェブサービスを呼び出して連携を図る。具体的には、商品・サービス受発注システムにおいては、音声カタログ提供業者ＭＶＯＳ及び宅配サービス業者ＤＬＳＶの２業者間では、同図中実線矢印で示すように、宅配サービス業者ＤＬＳＶが所有する商品・サービス情報照会システムによって音声カタログ提供業者ＭＶＯＳが実装する商品・サービス情報提供ウェブサービスが呼び出され、この処理結果が当該商品・サービス情報照会システムに提供されるとともに、宅配サービス業者ＤＬＳＶが所有する受注システムによって音声カタログ提供業者ＭＶＯＳが実装する商品・サービス受注データ提供ウェブサービスが呼び出され、この処理結果が当該受注システムに提供される。また、商品・サービス受発注システムにおいては、音声カタログ提供業者ＭＶＯＳ、宅配サービス業者ＤＬＳＶ、及び納入業者ＧＤＤＬの３業者間では、同図中破線矢印で示すように、納入業者ＧＤＤＬが所有する商品・サービス情報書き込みシステムによって音声カタログ提供業者ＭＶＯＳが実装する商品・サービス情報提供ウェブサービスが呼び出され、この処理結果が当該商品・サービス情報書き込みシステムに提供され、宅配サービス業者ＤＬＳＶが所有する商品・サービス情報照会システムによって納入業者ＧＤＤＬが実装する商品・サービス情報提供ウェブサービスが呼び出され、この処理結果が当該商品・サービス情報照会システムに提供され、さらに、宅配サービス業者ＤＬＳＶが所有する発注システムによって納入業者ＧＤＤＬが実装する在庫確認・受注ウェブサービスが呼び出され、この処理結果が当該発注システムに提供される。
【００４３】
さて、このような商品・サービス受発注システムにおいて、音声カタログ提供業者ＭＶＯＳが所有するサーバ装置２０には、ウェブサーバ環境とデータベースサーバとが構築される。サーバ装置２０とサーバ装置３０や情報処理装置４０との間及びサーバ装置２０と携帯電話端末機１０との間の通信路は、セキュリティを確保するために、それぞれ、暗号化される。そして、サーバ装置２０は、ウェブアプリケーションの仕組みを利用して、メニューデータをデータベースとして登録するとともに、音声データを例えばＷＡＶＥ形式等の携帯電話端末機１０によって音声読み上げ可能な音声ファイルとして登録する。このとき、サーバ装置２０は、登録した音声ファイルを実際に出力し、誤りがある場合には修正する処理を行う。なお、携帯電話端末機１０ではなくサーバ装置２０が音声ファイルを登録して管理するのは、金銭の授受が絡む受発注システムにおいては誤った情報をユーザＵＳに提示することが許されないためであり、正確な音声ファイルを作成するためである。また、商品・サービス受発注システムにおいては、宅配サービス業者ＤＬＳＶ及び納入業者ＧＤＤＬによるプライベートウェブサービスとして、新たな商品及び／又はサービスに関するメニューデータを提供するサービスが用意され、新たなメニューデータの追加や既存のメニューデータの変更等が生じる度に、その情報を一括的にサーバ装置２０を介して携帯電話端末機１０に対して配信することが可能とされる。さらに、サーバ装置２０は、ユーザＵＳからの注文情報を受け取るウェブサービスを実装し、携帯電話端末機１０から送信された注文情報をデータベースとして保持するとともに、この注文情報を宅配サービス業者ＤＬＳＶに対してウェブサービスとして提供する。さらにまた、サーバ装置２０は、必要に応じて、ユーザＵＳからの注文を確認するために、携帯電話端末機１０に対して発呼し、注文の確認動作を行うこともできる。
【００４４】
一方、商品・サービス受発注システムにおいては、ユーザＵＳが所有する携帯電話端末機１０には、上述したように、ＳＯＡＰやＸＭＬパーサ等によるウェブサービスクライアント環境が構築される。音声カタログ提供業者ＭＶＯＳが所有するサーバ装置２０との間の通信路は、セキュリティを確保するために暗号化される。そして、携帯電話端末機１０においては、サーバ装置２０に対して接続し、ユーザＵＳに固有の顧客ＩＤやパスワード等を利用した認証処理を行うと、例えば図３(ａ)に示すように、サーバ装置２０から配信された音声データに基づくＪＡＶＡ（登録商標）による音声ガイダンスにしたがって任意のキーやボタン等の操作子を押下する又は押下している操作子を離すという簡便な操作のもとに、所望の商品及び／又はサービス分類が選択される。そして、携帯電話端末機１０においては、商品及び／又はサービスが決定されると、サーバ装置２０が実装する図示しない注文受け付けウェブサービスを呼び出し、商品及び／又はサービスの詳細情報等を音声として確認することが可能とされ、この確認後、例えば図３(ｂ)に示すように、音声ガイダンスにしたがった上述した操作子操作を行うことによって当該商品及び／又はサービスが注文候補として決定され、仮想的な買い物籠に投入される。また、携帯電話端末機１０においては、買い物籠に投入した商品及び／又はサービスの一部又は全部をキャンセルしたい場合には、例えば図３(ｃ)に示すように、キャンセルを示す音声ガイダンスにしたがった操作子操作を行うことにより、任意の商品及び／又はサービスの一部又は全部をキャンセルすることもできる。携帯電話端末機１０においては、例えば図３(ｄ)に示すように、購入したい商品及び／又はサービスについてかかる処理を繰り返し行い、全ての商品及び／又はサービスの選択が終了すると、例えば図３(ｅ)に示すように、支払いを示す音声ガイダンスにしたがった操作子操作を行うことにより、注文すべき全ての商品及び／又はサービスの支払い情報等について音声による確認を行うことができ、注文確定を示す音声ガイダンスにしたがった操作子操作を行うことにより、注文が確定される。そして、携帯電話端末機１０においては、サーバ装置２０が実装する図示しない注文受け付けウェブサービスを呼び出し、注文情報を送信し、必要に応じて、サーバ装置２０から音声による注文情報の確認電話を受け、操作子操作に応じて最終確認が行われる。
【００４５】
なお、携帯電話端末機１０においては、視覚障害者のみならず健常者の使い勝手を向上させるために、音声ガイダンスにあわせて、例えば図４(ａ)に示すような視覚的な情報を表示画面を表示してもよい。これにより、商品・サービス受発注システムにおいては、視覚障害者をサポートする健常者が存在する場合や弱視者等の場合には高い操作性を提供することができる。このとき、携帯電話端末機１０においては、さらなる操作性の向上を図るため、キーやボタンの押下操作のみならず、カーソルキー等を用いたスクロール操作によって商品及び／又はサービスの選択動作を可能とするような構成としてもよい。また、携帯電話端末機１０においては、視覚的な情報を表示画面に表示する場合には、商品及び／又はサービス等を示す文字のみの表示ではなく、例えば図４(ｂ)に示すように、当該商品及び／又はサービス等をイラストとして表示するのも望ましい。すなわち、携帯電話端末機１０においては、例えば図５に示すように、商品及び／又はサービスの分類毎に階層化されたイラストデータをサーバ装置２０から取得して記憶しておき、これを音声ガイダンスにあわせて表示すればよい。このとき、携帯電話端末機１０においては、様々な症状のユーザＵＳの操作を容易とするために、例えば図４(ｃ)に示すように、背景色や文字色等を任意に変更可能としてもよい。さらに、携帯電話端末機１０においては、例えば図４(ｄ)に示すように、文字の大きさを任意倍率に変更可能としてもよく、また、文字種として平仮名を片仮名や漢字等に任意に変更可能としてもよい。さらにまた、携帯電話端末機１０においては、例えば図４(ｅ)に示すように、家庭用テレビジョン等に接続することにより、さらに大画面表示を行うようにしてもよい。
【００４６】
より具体的には、商品・サービス受発注システムにおいては、図６に示すような一連の工程を経ることにより、商品及び／又はサービスの受発注を行う。なお、商品・サービス受発注システムにおいては、例えば"野菜"や"肉"といった大分類商品・サービスカテゴリと、例えば"牛肉"や"鶏肉"といった大分類商品・サービスカテゴリの下位に位置する中分類商品・サービスカテゴリと、例えば"モモ"や"ササミ"といった中分類商品・サービスカテゴリの下位に位置する小分類商品・サービスカテゴリといったように、階層的な概念からなるゾーンに区分けされた分類に基づいて、商品及び／又はサービスを絞り込む選択動作を行う。
【００４７】
まず、商品・サービス受発注システムにおいては、同図に示すように、ユーザＵＳが自己の携帯電話端末機１０を起動し、ＪＡＶＡ（登録商標）アプリケーションプログラムとしての携帯用アプリケーションプログラムを起動する。そして、携帯電話端末機１０は、携帯用アプリケーションプログラムの起動に応じて、音声カタログ提供業者ＭＶＯＳが所有するサーバ装置２０に対して接続する。このとき、携帯電話端末機１０は、ユーザＵＳに固有の顧客ＩＤや当該ユーザＵＳによって入力されたパスワードを暗号化して送信し、サーバ装置２０との通信路を確立する。具体的には、携帯電話端末機１０は、０〜９の数字を組み合わせた数桁のパスワードが設定されている場合には、例えば図７に示すように、予めメモリ等に格納されている音声データ（音声ファイル）群の中から、"本人認証を行います"といった内容からなる認証用の音声ガイダンスを行うための音声ファイルを検索し、その音声ファイルを携帯用アプリケーションプログラムによって読み上げた上で、各桁毎に、０〜９までの数字を内容とする音声ファイルを当該携帯用アプリケーションプログラムによって順次読み上げる。ユーザＵＳは、順次読み上げられる０〜９までの数字のうち、該当する数字が読み上げられた際に、任意の操作子を押下又は離すことにより、各桁の数字を確定する操作を行う。携帯電話端末機１０は、このようにして入力されたパスワードを顧客ＩＤとともに暗号化してサーバ装置２０に対して送信する。
【００４８】
これに応じて、サーバ装置２０は、既に当該商品・サービス受発注システムの利用契約を行って登録されているユーザＵＳの携帯電話端末機１０からのアクセスであるか否かを確認するために、データベースに保持されている顧客情報を参照し、この結果に応じて認証の可否を決定する。そして、携帯電話端末機１０は、サーバ装置２０から認証する旨を示す情報を受信した場合には、"確認しました。○○さん、いらっしゃいませ"といった内容からなる認証用の音声ガイダンスを行うための音声ファイルを検索し、その音声ファイルを携帯用アプリケーションプログラムによって読み上げ、ユーザＵＳに認証された旨を報知する。
【００４９】
携帯電話端末機１０は、サーバ装置２０によって認証されると、例えば図８に示すように、後述するユーザＵＳにあわせた音声カタログのチューニングや上述した文字の大きさや色、背景色等の変更を行うための設定メニュー、予めブックマークとして登録してある商品及び／又はサービスの注文を行うための定番商品・サービス注文メニュー、音声カタログを用いた商品・サービスの注文を行うためのショッピングメニュー、過去に購入した商品及び／又はサービスのリストを確認するためのリストメニュー等からなるトップメニューのうち、任意のメニュー項目を選択させるため、これらメニュー項目に対応付けられた音声ファイルを検索し、その音声ファイルを携帯用アプリケーションプログラムによって順次読み上げる。ユーザＵＳは、順次読み上げられるメニュー項目のうち、所望のメニュー項目が読み上げられた際に、任意の操作子を押下又は離すことにより、当該メニュー項目の選択操作を行う。
【００５０】
携帯電話端末機１０は、ショッピングメニューが選択された場合には、サーバ装置２０から配信されてメモリ等に格納されているメニューデータ（メニューファイル）に基づいて、当該ショッピングメニューを構成するメニュー項目を携帯用アプリケーションプログラムによって読み上げる。具体的には、携帯電話端末機１０は、メニューファイルに基づいて、大分類商品・サービスカテゴリとして登録されている商品及び／又はサービスカテゴリ名からなるメニュー項目を携帯用アプリケーションプログラムによって読み上げることによってユーザＵＳに提示する。ユーザＵＳは、聴取した音声に基づいて所望の商品及び／又はサービスカテゴリの選択操作を行う。
【００５１】
例えば、携帯電話端末機１０は、図９中ゾーン１に示すように、大分類商品・サービスカテゴリのメニュー項目として、"食品"、"野菜"、"肉"、"菓子"、"日用品"、"魚"、"惣菜"、"インスタント食品"、"雑貨"等の商品及び／又はサービスカテゴリ名が登録されている場合には、これら商品及び／又はサービスカテゴリ名を携帯用アプリケーションプログラムによって順次読み上げる。これに応じて、ユーザＵＳは、図１０(ａ)に示すように、順次読み上げられる商品及び／又はサービスカテゴリ名のうち、所望の商品及び／又はサービスカテゴリ名が読み上げられた際に、任意の操作子を押下又は離すことにより、当該商品及び／又はサービスカテゴリの選択操作を行う。なお、携帯電話端末機１０は、これら商品及び／又はサービスカテゴリ名の番号についてもあわせて読み上げるようにしてもよい。この場合、ユーザＵＳは、例えば、"肉"を選択したい場合には、携帯電話端末機１０における各種操作子のうち、読み上げられた番号に対応する操作子"３"を押下する一方で、"インスタント食品"を選択したい場合には、対応する操作子"８"を押下するようにしてもよい。また、携帯電話端末機１０は、携帯用アプリケーションプログラムによって順次読み上げられる複数の商品及び／又はサービスカテゴリ名の後に、１階層上位に位置する図８に示したメニュー項目の選択に戻るためのメニュー項目を設けることにより、直前のメニューを構成するメニュー項目の選択操作に戻るのを容易としている。
【００５２】
このようにして大分類商品・サービスカテゴリとして登録されている商品及び／又はサービスについてのカテゴリの選択が終了すると、携帯電話端末機１０は、図６に示すように、中分類商品・サービスカテゴリとして登録されている商品及び／又はサービスカテゴリ名からなるメニュー項目を携帯用アプリケーションプログラムによって読み上げることによってユーザＵＳに提示する。ユーザＵＳは、聴取した音声に基づいて所望の商品及び／又はサービスカテゴリの選択操作を行う。
【００５３】
例えば、携帯電話端末機１０は、図９中ゾーン２に示すように、大分類商品・サービスカテゴリに属する"肉"の下位に位置する中分類商品・サービスカテゴリのメニュー項目として、"牛肉"、"豚肉"、"鶏肉"、・・・等の商品及び／又はサービスカテゴリ名が登録されている場合には、これら商品及び／又はサービスカテゴリ名を携帯用アプリケーションプログラムによって順次読み上げる。これに応じて、ユーザＵＳは、図１０(ｂ)に示すように、順次読み上げられる商品及び／又はサービスカテゴリ名のうち、所望の商品及び／又はサービスカテゴリ名が読み上げられた際に、任意の操作子を押下又は離すことにより、当該商品及び／又はサービスカテゴリの選択操作を行う。なお、携帯電話端末機１０は、これら商品及び／又はサービスカテゴリ名の番号についてもあわせて読み上げるようにしてもよい。この場合、ユーザＵＳは、例えば、"鶏肉"を選択したい場合には、携帯電話端末機１０における各種操作子のうち、読み上げられた番号に対応する操作子"３"を押下するようにしてもよい。また、携帯電話端末機１０は、携帯用アプリケーションプログラムによって順次読み上げられる複数の商品及び／又はサービスカテゴリ名の後に、１階層上位に位置する大分類商品・サービスカテゴリの選択に戻るためのメニュー項目を設けることにより、ゾーンの移動を容易としている。
【００５４】
さらに、携帯電話端末機１０は、このようにして中分類商品・サービスカテゴリとして登録されている商品及び／又はサービスについてのカテゴリの選択が終了すると、図６に示すように、小分類商品・サービスカテゴリとして登録されている商品及び／又はサービス名からなるメニュー項目を携帯用アプリケーションプログラムによって読み上げることによってユーザＵＳに提示する。ユーザＵＳは、聴取した音声に基づいて所望の商品及び／又はサービスの選択操作を行う。
【００５５】
例えば、携帯電話端末機１０は、図９中ゾーン３に示すように、中分類商品・サービスカテゴリに属する"鶏肉"の下位に位置する小分類商品・サービスカテゴリのメニュー項目として、"モモ"、"サラミ"、"ムネ"、・・・等の商品及び／又はサービス名が登録されている場合には、これら商品及び／又はサービス名を携帯用アプリケーションプログラムによって順次読み上げる。これに応じて、ユーザＵＳは、図１０(ｃ)に示すように、順次読み上げられる商品及び／又はサービス名のうち、所望の商品及び／又はサービス名が読み上げられた際に、任意の操作子を押下又は離すことにより、当該商品及び／又はサービスの選択操作を行う。なお、携帯電話端末機１０は、これら商品及び／又はサービス名の番号についてもあわせて読み上げるようにしてもよい。この場合、ユーザＵＳは、例えば、例えば、"モモ"を選択したい場合には、携帯電話端末機１０における各種操作子のうち、読み上げられた番号に対応する操作子"１"を押下するようにしてもよい。また、携帯電話端末機１０は、携帯用アプリケーションプログラムによって順次読み上げられる複数の商品及び／又はサービス名の後に、１階層上位に位置する中分類商品・サービスカテゴリの選択に戻るためのメニュー項目を設けることにより、ゾーンの移動を容易としている。
【００５６】
携帯電話端末機１０は、このようにして小分類商品・サービスカテゴリとして登録されている商品及び／又はサービスの選択が終了すると、ユーザＵＳが注文を所望している商品及び／又はサービス名を認知する。そして、携帯電話端末機１０は、図６に示すように、認知した商品及び／又はサービスについての販売可能な現実の商品及び／又はサービスの詳細情報からなる選択商品・サービス情報を取得すべく、サーバ装置２０に対して接続する。これに応じて、サーバ装置２０は、データベースに保持されているメニューデータを参照し、選択商品・サービス情報を取得すると、これを携帯電話端末機１０に対して配信する。携帯電話端末機１０は、サーバ装置２０から配信された選択商品・サービス情報を携帯用アプリケーションプログラムによって読み上げることによってユーザＵＳに提示する。
【００５７】
例えば、携帯電話端末機１０は、図９中ゾーン４に示すように、小分類商品・サービスカテゴリで選択された"モモ"の商品・サービス説明として、"○○○産ブロイラーモモ肉５００グラム、賞味期限は７日、税込２１００円です"といったメッセージを携帯用アプリケーションプログラムによって読み上げる。ユーザＵＳは、読み上げられた説明に基づいて、当該商品及び／又はサービスを注文するか否かの選択操作を行う。すなわち、ユーザＵＳは、図１０(ｄ)に示すように、商品及び／又はサービス毎の注文数を入力させる音声ガイダンスが携帯用アプリケーションプログラムによって読み上げられた際に、任意の操作子を押下又は離すことにより、当該商品及び／又はサービスの注文数の入力操作へと移行する。これに応じて、携帯電話端末機１０は、図９中ゾーン５に示すように、０〜９までの数字を内容とする音声ファイルを当該携帯用アプリケーションプログラムによって順次読み上げる。ユーザＵＳは、図１０(ｅ)に示すように、順次読み上げられる０〜９までの数字のうち、該当する数字が読み上げられた際に、任意の操作子を押下又は離すことにより、注文数を確定する操作を行う。なお、携帯電話端末機１０は、注文数に対応する操作子を押下することによって注文数の決定を行ったり、任意の操作子を注文数と同じ回数だけ押下し、さらに所定の決定用操作子を押下することによって注文数の決定を行ったりしてもよい。
【００５８】
携帯電話端末機１０は、このようにして注文数の入力操作が行われると、図６及び図９中ゾーン６に示すように、注文確定操作へと移行する。具体的には、ユーザＵＳは、図１０(ｆ)に示すように、例えば、当該商品及び／又はサービスを注文して他の買い物を継続するためのメニュー項目、当該商品及び／又はサービスを注文して買い物を終了するためのメニュー項目、当該商品及び／又はサービスの注文をキャンセルするためのメニュー項目のいずれかが携帯用アプリケーションプログラムによって読み上げられた際に、任意の操作子を押下又は離すことにより、当該メニュー項目の選択操作を行う。なお、携帯電話端末機１０は、これらメニュー項目の番号についてもあわせて読み上げ、読み上げられた番号に対応する操作子を押下することにより、当該メニュー項目の選択操作を行うようにしてもよい。そして、携帯電話端末機１０は、当該商品及び／又はサービスを注文して買い物を終了するためのメニュー項目が選択された場合には、図１１に示すように、選択された商品及び／又はサービスに関する情報を携帯用アプリケーションプログラムによって順次読み上げる。これに応じて、ユーザＵＳは、注文確定を行う場合には、その旨が読み上げられた際に、任意の操作子を押下又は離すことにより、注文を確定する操作を行う。また、ユーザＵＳは、注文のキャンセルや注文数の変更を行う場合には、その旨を示すメニュー項目が読み上げられた際に、任意の操作子を押下又は離すことにより、かかるキャンセルや変更操作を行う。
【００５９】
携帯電話端末機１０は、このようにして注文内容が確定すると、図６に示すように、確定した商品及び／又はサービスと注文数とを示す注文商品・サービス情報をサーバ装置２０に対して送信する。サーバ装置２０は、注文商品・サービス情報を受信すると、ユーザＵＳからの注文の最終確認のために、必要に応じて、携帯電話端末機１０に対して発呼する。携帯電話端末機１０は、サーバ装置２０から音声による注文情報の確認電話を受け、注文内容を携帯用アプリケーションプログラムによって読み上げる。このとき、携帯電話端末機１０は、注文内容の読み上げに代えて、音楽やバイブレータ機能を作動させてもよく、また、注文内容の読み上げとともに音楽やバイブレータ機能を作動させることによってユーザＵＳの注意をさらに喚起するようにしてもよい。そして、携帯電話端末機１０は、最終注文の意思表示として、ユーザＵＳが任意の操作子を押下又は離すのに応じて、最終注文決定情報をサーバ装置２０に対して送信し、一連の注文動作を終了する。
【００６０】
商品・サービス受発注システムにおいては、このような一連の工程を経ることにより、商品及び／又はサービスの受発注を行うことができる。このように、商品・サービス受発注システムにおいては、商品及び／又はサービスを選択するために、３つのゾーン、すなわち、大分類商品・サービスカテゴリ、中分類商品・サービスカテゴリ、及び小分類商品・サービスカテゴリに階層化されたメニュー項目をユーザＵＳに提示する場合には、当該ユーザＵＳは、最小で７回の操作を行うのみで所望の商品及び／又はサービスを注文することが可能となる。勿論、商品・サービス受発注システムにおいては、取り扱う商品及び／又はサービスの数や種類が多い場合には、適切な注文動作の支援を実現するために、任意にゾーンを増やしてもよい。商品・サービス受発注システムにおいては、このように商品及び／又はサービスをカテゴリ毎に区分けした分類毎に音声によるメニュー項目からなる音声カタログを作成し、携帯電話端末機１０によって最上位のカテゴリから最下位のカテゴリまで各カテゴリ毎に登録されているメニュー項目を順次読み上げることにより、その内容をユーザＵＳに提示して一の候補を選択させる処理を繰り返す。このようにして、商品・サービス受発注システムにおいては、ユーザＵＳが所望する商品及び／又はサービスを絞り込む選択動作を行うことにより、極めて効率よく商品及び／又はサービスの絞り込みを行うことが可能となる。
【００６１】
さて、以下では、このような商品・サービス受発注システムについてのより具体的な内容について説明する。
【００６２】
商品・サービス受発注システムにおいては、納入業者ＧＤＤＬが情報処理装置４０を用いてメニュー項目の一部となる商品及び／又はサービスに関する情報をサーバ装置２０に登録する。具体的には、納入業者ＧＤＤＬは、商品及び／又はサービスに関する情報を登録するための登録画面を情報処理装置４０の表示画面に表示させる。具体的には、この登録画面は、例えば図１２に示すように、登録しようとする商品及び／又はサービスが属する分類を示す商品・サービス分類番号と、当該商品及び／又はサービスに固有の商品・サービス番号と、当該商品及び／又はサービスの名称を示す商品・サービス名と、当該商品及び／又はサービスの説明と、その単価金額とを入力可能に構成される。また、納入業者ＧＤＤＬは、商品及び／又はサービスが属する分類を登録するための登録画面を情報処理装置４０の表示画面に表示させる。具体的には、この登録画面は、例えば図１３に示すように、その商品・サービス分類の上位に位置する分類を示す親商品・サービス分類番号と、当該商品・サービス分類の名称を示す商品・サービス分類名とを入力可能に構成される。
【００６３】
商品・サービス受発注システムにおいては、納入業者ＧＤＤＬがこのような登録画面を介して必要事項を入力することにより、商品及び／又はサービスに関する情報をサーバ装置２０に登録することができる。サーバ装置２０は、登録された商品及び／又はサービスに関する情報をメニューデータ（メニューファイル）として作成して格納し、このメニューファイルを携帯電話端末機１０に対して配信する。また、商品・サービス受発注システムにおいては、商品及び／又はサービスに関する情報の登録に応じて、サーバ装置２０に対する音声データ（音声ファイル）の登録も行われる。この音声ファイルの登録は、主に以下の３通りの方法によって行われる。
【００６４】
まず、第１の方法としては、登録画面を介して入力された各種情報に基づいて、サーバ装置２０によって音声データを作成することが挙げられる。すなわち、サーバ装置２０は、情報処理装置４０を介して商品及び／又はサービスに関する情報が登録された上で、先に図１２に示した登録画面に設けられた音声ファイル登録ボタンが納入業者ＧＤＤＬによって押下されるのに応じて、当該登録画面を介して入力された各種情報について文字認識を行い、認識した文字列を音声データに変換する。このとき、サーバ装置２０は、音声データを携帯電話端末機１０によって音声読み上げ可能な音声ファイルとして登録する。また、サーバ装置２０は、図１２に示した登録画面に設けられた音声確認ボタンが納入業者ＧＤＤＬによって押下されるのに応じて、登録した音声ファイルを情報処理装置４０に対して送信する。これに応じて、情報処理装置４０は、受信した音声ファイルを読み上げ、当該納入業者ＧＤＤＬに提示する。そして、サーバ装置２０は、情報処理装置４０によって読み上げた音声に誤りがある場合等、納入業者ＧＤＤＬから音声ファイルの変更が要求された場合には、その音声ファイルを適宜修正する処理を行う。このように、商品・サービス受発注システムにおいては、サーバ装置２０に音声データを登録することができる。
【００６５】
また、第２の方法としては、契約した専門の声優やアナウンサ等によってスタジオ録音された音声データを登録することが挙げられる。すなわち、サーバ装置２０は、情報処理装置４０を介して商品及び／又はサービスに関する情報が登録された上で、図１２に示した登録画面に設けられた音声ファイル登録ボタンが納入業者ＧＤＤＬによって押下されるのに応じて、音声データのスタジオ録音を発注する。そして、サーバ装置２０は、スタジオ録音された音声データを取得すると、これを携帯電話端末機１０によって音声読み上げ可能な音声ファイルに変換し、この音声ファイルを情報処理装置４０に対して送信して確認を求めた上で登録する。また、サーバ装置２０は、図１２に示した登録画面に設けられた音声確認ボタンが納入業者ＧＤＤＬによって押下されるのに応じて、登録した音声ファイルを情報処理装置４０に対して送信する。これに応じて、情報処理装置４０は、受信した音声ファイルを読み上げ、当該納入業者ＧＤＤＬに提示する。そして、サーバ装置２０は、納入業者ＧＤＤＬから音声ファイルの変更が要求された場合には、その音声ファイルを適宜修正する処理を行う。商品・サービス受発注システムにおいては、このようなスタジオ録音を行うことにより、サーバ装置２０に音声データを登録することができる。この方法は、特にガイダンスメッセージ等の固定内容からなる音声データの登録に好適である。
【００６６】
さらに、第３の方法としては、契約した専門の声優やアナウンサ等に所定条件以上の環境での録音を依頼し、この音声データを登録することが挙げられる。このとき、商品・サービス受発注システムにおいては、録音を簡便に行うために、所定の録音用携帯アプリケーションプログラムを用いる。すなわち、サーバ装置２０は、例えば図１４に示すように、情報処理装置４０を介して商品及び／又はサービスに関する情報が登録された上で、図１２に示した登録画面に設けられた音声ファイル登録ボタンが納入業者ＧＤＤＬによって押下されるのに応じて、音声データの録音を発注する。これに応じて、声優やアナウンサ等は、自己が所有する携帯電話端末機５０に実装されている所定の録音用携帯アプリケーションプログラムを起動する。録音用携帯アプリケーションプログラムは、起動されると、録音が要求される文章等を表示画面に表示させ、表示画面に表示された文章等から所望の文章等が選択操作されるのに応じて、録音可能状態へと移行し、声優やアナウンサ等に発話を促す。そして、録音用携帯アプリケーションプログラムは、録音が終了すると、この音声データをサーバ装置２０に対して送信する。サーバ装置２０は、音声データを受信すると、これを携帯電話端末機１０によって音声読み上げ可能な音声ファイルに変換し、この音声ファイルを情報処理装置４０に対して送信して確認を求め、納入業者ＧＤＤＬから音声ファイルの変更が要求された場合には、声優やアナウンサ等に変更要求を行った上で、音声ファイルを登録する。そして、サーバ装置２０は、声優やアナウンサ等が所有する携帯電話端末機５０に対して、作業完了を示す電子メール等を送信し、一連の登録処理を終了する。商品・サービス受発注システムにおいては、このような方法によってもサーバ装置２０に音声データを容易に登録することができる。この方法は、特に商品及び／又はサービスの詳細説明等の音声データの登録に好適である。
【００６７】
また、納入業者ＧＤＤＬは、顧客たるユーザＵＳに関する情報を登録する際に、例えば図１５に示すように、当該ユーザＵＳに固有の顧客ＩＤと、当該ユーザＵＳに固有のパスワードと、当該ユーザＵＳの氏名を示す顧客名とを入力する登録画面を情報処理装置４０の表示画面に表示させる。納入業者ＧＤＤＬは、このような登録画面を介して必要事項を入力することにより、ユーザＵＳに関する情報をサーバ装置２０に登録することができる。さらに、納入業者ＧＤＤＬは、ユーザＵＳからの注文を確認する際に、例えば図１６に示すような注文確認画面を情報処理装置４０の表示画面に表示させる。具体的には、この注文確認画面は、注文毎に固有に付与される注文ＩＤと、ユーザＵＳに固有の顧客ＩＤと、当該ユーザＵＳの氏名を示す顧客名と、注文日付と、注文された商品及び／又はサービスに関する情報とから構成される。納入業者ＧＤＤＬは、このような注文確認画面を介して、個々の注文内容を把握することが可能となる。
【００６８】
さて、このようにして音声ファイル、並びに音声ファイルと各メニュー項目とを対応付けるメニューファイルがサーバ装置２０に登録される商品・サービス受発注システムにおいては、当該サーバ装置２０と携帯電話端末機１０とが以下のように構成される。
【００６９】
携帯電話端末機１０は、上述したように、携帯用アプリケーションプログラムを実装して構成される。この携帯用アプリケーションプログラムは、概略的には図１７に示すように、サーバ装置２０に対して認証要求を行う端末認証要求機能部５１と、商品及び／又はサービスの選択を行う商品・サービス選択機能部５２と、注文候補としての商品及び／又はサービスとその注文数とを一時的に保存する買い物籠機能部５３と、買い物籠内の商品及び／又はサービスの注文を行う発注機能部５４と、注文された商品及び／又はサービスをキャンセルするキャンセル要求機能部５５と、注文候補として選択された商品及び／又はサービスをブックマークとして登録するブックマーク機能部５６と、過去に購入した商品及び／又はサービスの問い合わせを行う注文履歴確認機能部５７と、サーバ装置２０から音声ファイルやメニューファイルをダウンロードするファイルダウンロード機能部５８と、ユーザＵＳにあわせた音声カタログのチューニングを行うチューニング機能部５９とを備える。
【００７０】
端末認証要求機能部５１は、不揮発性のメモリや着脱可能な記憶媒体等に形成された端末設定記憶部６１に格納されているユーザＵＳに固有の顧客ＩＤや当該ユーザＵＳによって入力されたパスワードをサーバ装置２０に対して送信することにより、当該携帯電話端末機１０の認証要求を行う。ここで、端末設定記憶部６１は、例えば図１８に示すように、ユーザＵＳに固有の顧客ＩＤ、当該ユーザＵＳに固有のパスワード、並びに、後述するチューニング機能部５９によって設定された音声ファイルを読み上げる際の音量、読み上げ速度、及び音質等の設定内容等の情報が、ユーザＵＳ毎に対応付けられて構成される。端末認証要求機能部５１は、このような端末設定記憶部６１を参照して顧客ＩＤを読み出し、この顧客ＩＤとユーザＵＳによって入力されたパスワードとを認証データとしてサーバ装置２０に対して送信する。携帯電話端末機１０は、サーバ装置２０によって認証された場合にのみ、携帯用アプリケーションプログラムを利用することが可能となる。
【００７１】
商品・サービス選択機能部５２は、不揮発性のメモリや着脱可能な記憶媒体等に形成されたメニュー記憶部６２に格納されたメニューファイルに基づいて、メニュー項目と音声ファイルとを対応付けることにより、上述したように、各メニュー項目を読み上げ、ユーザＵＳの操作に応じて商品及び／又はサービスの選択を行う。ここで、メニュー記憶部６２には、例えば図１９に示すように、当該メニュー内の通し番号、全メニュー数、カテゴリ番号、メニュー番号、次のメニューのメニュー番号、音声ファイル名、項目ＩＤ、再生間隔有無、商品及び／又はサービスの金額、並びに、当該商品及び／又はサービスを数える際の単位等の情報が、メニュー項目毎に対応付けられて構成されたメニューファイルが格納される。また、メニュー記憶部６２には、ここでは図示しないが、定番商品・サービス区分や個数等の情報も、メニュー項目毎に対応付けられて格納される。なお、これらの情報については、再度後述するものとする。商品・サービス選択機能部５２は、このようなメニュー記憶部６２を参照して、各メニュー項目の内容を把握し、必要なメニュー項目に対応する音声ファイルを音声ファイル群記憶部６５から検索して読み上げる。なお、商品・サービス選択機能部５２は、ユーザＵＳの操作の便宜を図るべく、一度選択されたメニュー項目については案内する順序を変更し、優先的に案内するように動作するようにしてもよい。
【００７２】
買い物籠機能部５３は、注文候補として選択された商品及び／又はサービスとその注文数とを示す情報を、ＲＡＭ（Random Access Memory）等に形成された買い物籠記憶部６３に一時的に保存する。ここで、買い物籠記憶部６３は、例えば図２０に示すように、商品及び／又はサービスに固有の商品・サービス番号、その単価金額、並びに、注文数等の情報が、商品及び／又はサービス毎に対応付けられて構成される。買い物籠機能部５３は、商品・サービス選択機能部５２によって商品及び／又はサービスが選択される度に、その情報を買い物籠記憶部６３に保存する。また、買い物籠機能部５３は、注文数の変更等があった場合には、買い物籠記憶部６３に保存した情報を削除したり変更したりする。
【００７３】
発注機能部５４は、ユーザＵＳの操作に応じて、買い物籠内の商品及び／又はサービスの情報を注文データとしてサーバ装置２０に対して送信することにより、当該商品及び／又はサービスの注文を行う。
【００７４】
キャンセル機能要求部５５は、ユーザＵＳの操作に応じて、サーバ装置２０に対してキャンセルデータを送信することにより、誤って注文してしまった商品及び／又はサービス等、注文された商品及び／又はサービスのキャンセル要求を行う。
【００７５】
ブックマーク機能部５６は、ユーザＵＳの操作に応じて、注文候補として選択された商品及び／又はサービスを不揮発性のメモリや着脱可能な記憶媒体等に形成されたブックマーク記憶部６４に登録するとともに、ブックマーク記憶部６４に登録されている不必要な商品及び／又はサービスを削除する。ここで、ブックマーク記憶部６４には、例えば図２１に示すように、メニュー記憶部６２に格納されるメニューファイルの内容と同様の情報が、登録された商品及び／又はサービス毎に作成されて格納される。ブックマーク記憶部６４に登録された商品及び／又はサービスは、以降の注文の際に、予めブックマークとして登録してある商品及び／又はサービスの注文を行うための上述した定番商品・サービス注文メニューを選択することによって読み出すことが可能とされる。これにより、ユーザＵＳは、注文することが多い商品及び／又はサービスを容易に再注文することが可能となる。
【００７６】
注文履歴確認機能部５７は、過去に購入した商品及び／又はサービスのリストを確認するための上述したリストメニューがユーザＵＳによって選択されるのに応じて、過去に購入した商品及び／又はサービスについてサーバ装置２０に問い合わせ、確認を行う。そして、注文履歴確認機能部５７は、問い合わせに応じてサーバ装置２０から返送された注文履歴を一覧リストとして表示画面に表示させたり、読み上げさせたりする。
【００７７】
ファイルダウンロード機能部５８は、サーバ装置２０から音声ファイルやメニューファイルをダウンロードする。このファイルダウンロード機能部５８によってダウンロードされたメニューファイルは、メニュー記憶部６２に格納される。また、このファイルダウンロード機能部５８によってダウンロードされた音声ファイルは、音声ファイル群記憶部６５として不揮発性のメモリや着脱可能な記憶媒体等に格納される。これにより、携帯電話端末機１０は、メニューファイルに基づいて、各メニュー項目と各音声ファイルとを対応付けることが可能となる。
【００７８】
チューニング機能部５９は、音声カタログのチューニングや上述した文字の大きさや色等の変更を行うための上述した設定メニューがユーザＵＳによって選択されるのに応じて、例えば、音声ファイルを読み上げる際の音量、読み上げ速度、及び音質等の設定を変更する。このチューニング機能部５９によって設定された内容は、端末設定記憶部６１に格納される。
【００７９】
一方、サーバ装置２０は、上述したように、メニュー管理データベースと、注文データ管理データベースと、音声・メニューファイルサーバと、音声・メニューファイル配信アプリケーションプログラムとから構成される。機能的には、サーバ装置２０は、概略的には図１７に示すように、携帯電話端末機１０の認証を行う端末認証機能部７１と、携帯電話端末機１０からの注文を受注する受注機能部７２と、携帯電話端末機１０から注文された商品及び／又はサービスをキャンセルするキャンセル機能部７３と、携帯電話端末機１０を介して過去に購入のあった商品及び／又はサービスの履歴を送信する注文履歴送信機能部７４と、携帯電話端末機１０に対して音声ファイルやメニューファイルを送信するファイル送信機能部７５とを備える。
【００８０】
端末認証機能部７１は、携帯電話端末機１０から送信された顧客ＩＤやパスワードからなる認証データと顧客データベース８１の内容とを照合し、携帯電話端末機１０が登録された正当のものであるか否かの認証を行う。ここで、顧客データベース８１は、例えば図２２に示すように、ユーザＵＳに固有の顧客ＩＤ、当該ユーザＵＳに固有のパスワード、並びに、当該ユーザＵＳの氏名等の情報が、ユーザＵＳ毎に対応付けられて構成される。端末認証機能部７１は、このような顧客データベース８１を参照して携帯電話端末機１０の認証を行い、その認証結果を当該携帯電話端末機１０に対して送信する。
【００８１】
受注機能部７２は、携帯電話端末機１０から送信された注文データを検証し、注文データベース８２に格納する。ここで、注文データベース８２は、例えば図２３に示すように、注文毎に固有に付与される注文ＩＤ、ユーザＵＳに固有の顧客ＩＤ、注文日付、注文された商品及び／又はサービスに固有の商品・サービス番号、その単価金額、並びに、注文数等の情報が、注文毎に対応付けられて構成される。受注機能部７２は、このような注文データベース８２に格納された注文データを、宅配サービス業者ＤＬＳＶが所有するサーバ装置３０や納入業者ＧＤＤＬが所有する情報処理装置４０に対して送信することにより、当該宅配サービス業者ＤＬＳＶや当該納入業者ＧＤＤＬに対して発注を行う。
【００８２】
キャンセル機能部７３は、携帯電話端末機１０から送信されたキャンセルデータに基づいて、注文データベース８２に格納されている注文データを検証し、その注文のキャンセルを行うことが可能なタイミングであるか否かを判断する。そして、キャンセル機能部７３は、未だその注文データが宅配サービス業者ＤＬＳＶが所有するサーバ装置３０や納入業者ＧＤＤＬが所有する情報処理装置４０に対して送信されておらず、その注文のキャンセルを行うことが可能なタイミングであるものと判断した場合には、注文の取り消しを行う。
【００８３】
注文履歴送信機能部７４は、携帯電話端末機１０から送信された注文履歴問い合わせデータに基づいて、最新の注文から例えば５件程度の所定数の注文履歴を注文データベース８２から読み出す。そして、注文履歴送信機能部７４は、読み出した注文履歴を携帯電話端末機１０に対して送信する。
【００８４】
ファイル送信機能部７５は、携帯電話端末機１０からの要求に応じて、商品データベース８３に格納されているメニューファイルや、音声データベース８４に格納されている音声ファイルを検索する。ここで、商品データベース８３は、例えば図２４に示すように、商品及び／又はサービスに固有の商品・サービス番号、当該商品及び／又はサービスが属する商品・サービス分類番号、商品及び／又はサービスの名称を示す商品・サービス名、当該商品及び／又はサービスの説明、並びに、その単価金額等の情報が、商品及び／又はサービス毎に対応付けられて構成される。また、商品データベース８３には、例えば図２５に示すような商品分類データベースも格納される。この商品分類データベースは、商品・サービス分類番号、その商品・サービス分類の上位に位置する親商品・サービス分類番号、並びに、商品・サービス分類名等の情報が、商品及び／又はサービス分類毎に対応付けられて構成される。サーバ装置２０は、このような情報に基づいて、メニューファイルを作成し、商品データベース８３に格納する。一方、音声データベース８４には、商品・サービス名や当該商品及び／又はサービスの説明等について、商品・サービス番号と対応付けられた音声ファイルが格納される。また、音声データベース８４には、ガイダンス用の音声ファイル等も格納される。ファイル送信機能部７５は、このような商品データベース８３や音声データベース８４に格納されたメニューファイルや音声ファイルを検証した上で、携帯電話端末機１０に対して送信する。
【００８５】
このような商品・サービス受発注システムにおいて、最も特徴的であると考えられる音声ファイルは、図２６に示すように、"項目名"、"数値"、"単位"、及び"その他"に分類される。
【００８６】
"項目名"は、商品及び／又はサービスの分類やその説明等が該当する。また、商品及び／又はサービスの単価金額や重量、さらには、上述した設定メニュー等の各種メニュー項目も、この"項目名"に含まれる。さらに、この"項目名"は、図２７に示すように、大分類商品・サービスカテゴリに属するメニュー項目名としての"大分類"、中分類商品・サービスカテゴリに属する項目名としての"中分類"、小分類商品・サービスカテゴリに属する項目名としての"小分類"、商品及び／又はサービスの詳細情報等を含む"詳細"、及び、各種アプリケーションプログラムの設定用の音声データを含む"アプリケーション設定"に分類される。具体的には、この"項目名"には、"肉"、"野菜"、"牛肉"、"豚肉"等の見出しとなる項目や、"牛肉モモすき焼き用"等の商品及び／又はサービス名や、"国産和牛、冷凍、３００ｇ、２ｍｍスライス"等の商品及び／又はサービスの説明や、"７６８円"等の単価金額や、"商品・サービスを選択してください"といったガイダンスメッセージ等が含まれる。
【００８７】
"数値"は、購入物の数量や購入金額の合計金額が該当する。なお、商品及び／又はサービスそのものの単価金額や重量は"項目名"に含まれることから、この"数値"には該当しない。また、"単位"は、"円"や"ｋｇ"等、数量の後に付く単位である。すなわち、商品及び／又はサービスに付随する単価金額等は、上述したように、"項目名"の"詳細"に含まれるが、注文内容を確認する場合等に読み上げられる商品及び／又はサービスの個数や金額は、桁単位で作成される。したがって、携帯電話端末機１０は、例えば注文内容を確認する場合等に"１２３４円"と読み上げる場合には、携帯用アプリケーションプログラムによって"数値"及び"単位"に分類される音声ファイルを検索し、"せん"、"にひゃく"、"さんじゅう"、"よん"、"えん"といったように、これら音声ファイルを合成して読み上げることになる。
【００８８】
"その他"は、"です"、"ます"等の接尾語や、"注文は"等の決められた文節や、"ご注文を受け付けました"等の決められた文章が該当する。したがって、携帯電話端末機１０は、例えば注文内容を確認する場合等には、この"その他"に分類される音声ファイルと、"項目名"、"数値"、"単位"に分類される音声ファイルとを携帯用アプリケーションプログラムによって組み合わせて読み上げることになる。
【００８９】
携帯電話端末機１０は、このような音声ファイルを携帯用アプリケーションプログラムによってサーバ装置２０から取得し、参照可能な状態でメモリ等に格納する。また、携帯電話端末機１０は、メニューファイルの更新等により、メモリ等に格納されていない音声ファイルがある場合には、サーバ装置２０からその音声ファイルを受信し、新たにメモリ等に格納することもできる。なお、携帯電話端末機１０は、携帯用アプリケーションプログラムを起動した際にサーバ装置２０に対して音声ファイルの更新があるか否かを問い合わせ、音声ファイルを取得してもよいが、また、他のアプリケーションプログラムによっても参照可能なフォルダに音声ファイルを格納することにより、当該他のアプリケーションプログラムによってバックグラウンドでサーバ装置２０と通信を行い、音声ファイルを取得してもよい。そして、携帯電話端末機１０は、メニューファイルに基づいて、必要な音声ファイルを検索して読み上げる。
【００９０】
ここで、携帯電話端末機１０は、携帯用アプリケーションプログラムのインストール時に基本的な音声ファイルやメニューファイルを当該携帯用アプリケーションプログラムによって参照可能な状態であわせてメモリ等に格納し、さらに、必要に応じて、更新があった差分データを携帯用アプリケーションプログラムによってサーバ装置２０から取得してメモリ等に格納する。そして、携帯電話端末機１０は、このメニューファイルに基づいて、各メニュー項目と各音声ファイルとをマッチングすることにより、適切な音声ファイルの読み上げを行う。なお、携帯電話端末機１０は、携帯用アプリケーションプログラムを起動した際にサーバ装置２０に対してメニューファイルの更新があるか否かを問い合わせ、更新があった場合にその差分データを取得してもよいが、音声ファイルの場合と同様に、他のアプリケーションプログラムによっても参照可能なフォルダにメニューファイルを格納することにより、当該他のアプリケーションプログラムによってバックグラウンドでサーバ装置２０と通信を行い、メニューファイルを取得してもよい。また、携帯電話端末機１０は、メニューファイルの更新等に応じて、取り扱う全ての商品及び／又はサービスについてのメニューファイルをサーバ装置２０から取得してメモリ等に格納してもよいが、必要なときに必要なメニューファイルのみを取得するようにしてもよい。このようなメニューファイルは、上述したトップメニューやゾーン毎のメニューといった１つのメニュー毎に作成され、例えば図２８に示すように、携帯電話端末機１０の表示画面毎の表示文字列や音声ファイル名等の情報が各メニュー項目毎に記述されて構成される。具体的には、メニューファイルは、例えば図２９に示すように、当該メニュー内の通し番号、当該メニュー内のメニュー項目数を示す全メニュー数、上述した大分類商品・サービスカテゴリ等の当該メニュー項目の属性を示すカテゴリ番号、当該メニューのメニュー番号、当該メニュー項目が読み上げられた後に遷移すべき次のメニューのメニュー番号、当該メニュー項目に対応付けられたパス情報を含む音声ファイル名、当該メニュー項目に固有の項目ＩＤ、当該メニュー項目と次の項目とを読み上げる際に再生間隔を入れるか否かを示す再生間隔有無、当該メニュー項目によって特定される商品及び／又はサービスの金額、当該商品及び／又はサービスを数える際の単位を羅列して構成される。これらの内容は、基本的にはサーバ装置２０によって作成される。また、メニューファイルには、携帯電話端末機１０によって拡張的に付加される内容も含まれる。具体的には、メニューファイルは、上述した定番商品・サービス注文メニューから読み出すことが可能なようにブックマークとして登録した商品及び／又はサービスであるか否かを示す定番商品・サービス区分や、商品及び／又はサービスの買い物籠への投入時に利用する個数についても、上述した内容に続けて羅列して構成される。なお、携帯電話端末機１０は、上述したように、各ゾーンの移動中に上位のカテゴリのメニュー選択に戻る機能を実装することから、現在のカテゴリの内容を示すメニューから１つだけ前後のメニューに移動すればよく、例えば図３０に示すように、メニューファイルのスタック領域として３つのメモリ領域を確保すればよい。
【００９１】
携帯電話端末機１０は、このようにスタックされたメニューファイルを用いて各メニュー項目と各音声ファイルとを対応付ける。そして、携帯電話端末機１０は、上述したように、ユーザＵＳの操作に応じてメニュー遷移させてゾーンを移動し、商品及び／又はサービスが選択されるのに応じて、買い物内容を示す情報を買い物籠記憶部６３に展開し、注文確定時にその情報をファイル化する。このとき、携帯電話端末機１０は、例えば図３１に示すように、買い物内容を示す情報をメニューファイルと同一フォーマットのファイル形式でファイル化するとともに、各メニューを読み上げるのと同一の音声ファイル及びアーキテクチャを用いて注文確認を行う。そして、携帯電話端末機１０は、少なくとも、メニューファイルの項目ＩＤ、注文数、金額、注文日付、及び顧客ＩＤを注文データとしてサーバ装置２０に対して送信する。なお、携帯電話端末機１０は、サーバ装置２０と通信を行うことなく後で買い物内容を示す情報を確認可能とするために、必要に応じて、当該買い物内容を示す情報をファイル化したデータをメモリ容量の制限範囲内で保存するようにしてもよい。また、携帯電話端末機１０は、例えば図３２に示すように、注文の過程で、所望の商品及び／又はサービスをブックマークとして登録する操作が行われた場合には、当該商品及び／又はサービスの詳細情報をメニューファイルと同一フォーマットのファイル形式でファイル化してブックマーク記憶部６４に登録し、メニューファイルの定番商品・サービス区分を書き替える。そして、携帯電話端末機１０は、ブックマークとして登録された商品及び／又はサービスの注文が要求された場合には、当該商品及び／又はサービスの詳細情報からなる説明を内容とする音声ファイルを音声ファイル群記憶部６５から読み出して読み上げることにより、再注文を行うことが可能となる。
【００９２】
このように、商品・サービス受発注システムにおいては、メニューファイルと音声ファイルとをサーバ装置２０から携帯電話端末機１０に対して配信し、当該携帯電話端末機１０により、メニューファイルに基づいて、各メニュー項目と各音声ファイルとをマッチングすることにより、携帯用アプリケーションプログラムを一切変更することなく、取り扱う商品及び／又はサービスの変更に応じてメニューを変更することができ、適切な音声ファイルの読み上げを行うことができる。
【００９３】
また、携帯電話端末機１０は、上述したように、音声ファイルを読み上げる際の音量、読み上げ速度、及び音質等を任意に変更可能とされる。具体的には、携帯電話端末機１０は、図３３に示すように、読み上げ対象の音声ファイルの出力レベルを変更することにより、音量を変更することができる。この場合、携帯電話端末機１０は、サーバ装置２０との間で通信を行う必要はない。また、携帯電話端末機１０は、読み上げ内容が同一であり且つ読み上げ速度が異なる音声ファイルを、音声ファイル群記憶部６５を構成する互いに異なるフォルダに同一ファイル名で格納し、設定に応じて、読み出す音声ファイルを変更することにより、読み上げ速度を変更することができる。さらに、携帯電話端末機１０は、例えば、男声又は女声、大人の声又は子供の声、標準語又は方言、任意のアニメーション漫画に登場するキャラクタの声といったように、音質を変更することもできる。この場合、携帯電話端末機１０は、読み上げ内容が同一であり且つ音質が異なる音声ファイルを、音声ファイル群記憶部６５を構成する互いに異なるフォルダに同一ファイル名で格納し、設定に応じて、読み出す音声ファイルを変更することにより、音質を変更することができる。さらにまた、携帯電話端末機１０は、音の高低を変更することもできる。この場合、携帯電話端末機１０は、音声ファイルの再生周波数を変更することにより、サーバ装置２０との間で通信を行うことなく、音の高低を変更することができる。
【００９４】
携帯電話端末機１０は、上述した設定メニューを介してチューニングの要求があった場合には、その内容を端末設定記憶部６１に設定し、以降の読み上げの際に、端末設定記憶部６１に設定された設定内容に基づいて、音量、読み上げ速度、及び音質等を変更して音声ファイルを読み上げる。具体的には、商品・サービス受発注システムにおいては、図３４に示すような一連の手順にしたがって、チューニングをともなった音声ファイルの読み上げを行う。
【００９５】
すなわち、携帯電話端末機１０は、同図に示すように、ステップＳ１において、上述した設定メニューを介してチューニング操作の要求を受け付け、その内容を端末設定記憶部６１に設定した後に、音声ファイルを読み上げる機会があった場合には、ステップＳ２において、音声ファイル群記憶部６５の中から必要な音声ファイルを検索する。このとき、携帯電話端末機１０は、端末設定記憶部６１に設定された設定内容に応じた音声ファイルを検索する。
【００９６】
ここで、携帯電話端末機１０は、ステップＳ３において、必要な音声ファイルを検索することができた場合には、ステップＳ８において、その音声ファイルを読み上げる一方で、当該音声ファイルを検索することができなかった場合、すなわち、設定された読み上げ速度や音質の音声ファイルを検索することができなかった場合には、ステップＳ４において、サーバ装置２０に対して当該音声ファイルのダウンロード要求を行う。
【００９７】
これに応じて、サーバ装置２０は、ステップＳ５において、当該音声ファイルのダウンロード要求を受け付け、正当な要求であるものと判断すると、ステップＳ６において、当該音声ファイルを音声データベース８４から読み出し、携帯電話端末機１０に対して送信する。そして、携帯電話端末機１０は、当該音声ファイルを受信すると、ステップＳ７において、当該音声ファイルを音声ファイル群記憶部６５に格納するとともに、ステップＳ８において、当該音声ファイルを読み上げ、一連の処理を終了する。なお、携帯電話端末機１０は、音声ファイル群記憶部６５が形成されるメモリの容量が制限に近くなった場合には、現在の端末設定記憶部６１の設定内容に合致せず且つ使用履歴が古い音声ファイルを自動的に削除する。
【００９８】
このように、商品・サービス受発注システムにおいては、携帯電話端末機１０に必要な音声ファイルが格納されていない場合であっても、容易に当該音声ファイルを取得し、ユーザＵＳの嗜好に応じてチューニングされた音声ファイルの読み上げを行うことができる。
【００９９】
さらに、商品・サービス受発注システムにおいては、上述したように、携帯電話端末機１０の表示画面に表示する文字の大きさ等も任意に変更可能とされる。例えば、携帯電話端末機１０は、図３５に示すような一連の手順にしたがって、文字の大きさを所定の倍率に拡大することができる。
【０１００】
まず、携帯電話端末機１０は、同図に示すように、ステップＳ１１において、表示画面に表示する文字列を合成すると、ステップＳ１２において、表示画面の表示幅と、文字の幅×端末設定記憶部６１に設定された表示倍率と、文字数とに基づいて、拡大した文字列の表示に必要な行数を算出するとともに、文字の高さに基づいて、当該拡大した文字列の表示に必要な高さを算出することにより、当該拡大した文字列を表示する画像データの高さ及び幅を算出する。そして、携帯電話端末機１０は、ステップＳ１３において、同図(ａ)に示すように、算出した高さ及び幅からなる空白の画像データを作成する。
【０１０１】
続いて、携帯電話端末機１０は、ステップＳ１４において、同図(ｂ)に示すように、画像データに文字列を書き込んだ後、ステップＳ１５において、端末設定記憶部６１に設定された表示倍率に画像データを拡大し、ステップＳ１６において、同図(ｃ)に示すように、拡大した画像データを表示画面に表示する。そして、携帯電話端末機１０は、ステップＳ１７において、ユーザＵＳのスクロール操作に応じて、同図(ｄ)に示すように、画像データを高さ方向にスクロール表示し、一連の処理を終了する。
【０１０２】
このように、商品・サービス受発注システムにおいては、端末設定記憶部６１に設定された内容に基づいて、文字の大きさをはじめとする表示形態を任意に変更することができる。
【０１０３】
以上説明したように、本発明の実施の形態として示す商品・サービス受発注システムにおいては、サーバ装置２０により、取り扱う商品及び／又はサービスに関する情報を携帯電話端末機１０によって音声読み上げ可能な音声ファイルに変換して音声カタログとして当該携帯電話端末機１０に対して配信する。そして、携帯電話端末機１０は、メニューファイルに基づいて、携帯用アプリケーションプログラムによって音声カタログを読み上げ、読み上げられた音声に基づいてユーザＵＳによって選択操作された所望の商品及び／又はサービスの注文を行う。これにより、この商品・サービス受発注システムは、携帯電話端末機１０を用いた極めて簡便な操作のみで、視覚障害者が通信販売を手軽に行うことを支援することができる。また、この商品・サービス受発注システムは、視覚障害者のみならず高齢者といった携帯電話端末機１０の操作に不慣れなユーザＵＳであっても容易に通信販売を利用することを可能とし、健常者にとっても使い勝手がよいサービスを提供することができる。また、この商品・サービス受発注システムは、宅配サービス業者ＤＬＳＶや納入業者ＧＤＤＬ等、競争が激化する業者にとっても、他者との差別化を図る上で極めて有効である。
【０１０４】
なお、本発明は、上述した実施の形態に限定されるものではない。例えば、上述した実施の形態では、音声ファイルの読み上げに応じて操作子操作を行うものとして説明したが、本発明は、視覚障害者の使用を鑑みて、任意の操作子の操作によって確実に商品及び／又はサービスの注文を行うことができる仕組みを採用してもよい。
【０１０５】
具体的には、商品・サービス受発注システムにおいては、例えば図９に示した各ゾーンの音声カタログから任意の商品及び／又はサービスカテゴリ名等を選択する際には、以下の２つの方法を採用することができる。
【０１０６】
まず、第１の方法としては、ユーザＵＳが携帯電話端末機１０における任意の操作子を押下し続けることで大分類商品・サービスカテゴリの音声カタログに登録されている商品及び／又はサービスカテゴリ名を順次読み上げ、所望の商品及び／又はサービスカテゴリ名が読み上げられた後に、押下している操作子を離すことにより、下位の中分類商品・サービスカテゴリの選択操作に移行することが考えられる。
【０１０７】
具体的には、携帯電話端末機１０は、図３６に示すように、ステップＳ２１において、メニュー選択のための音声ガイダンスを読み上げた上で、ステップＳ２２において、任意の操作子を押下したままの状態でメニュー項目の選択を開始し、ステップＳ２３において、メニュー画像を表示画面に表示するとともに、ステップＳ２４において、メニュー項目を読み上げる。そして、携帯電話端末機１０は、１つのメニュー項目を読み上げると、ステップＳ２５において、所定の短時間だけ無音状態とする。このとき、ユーザＵＳは、押下している操作子をそのまま押下し続けるか離すかのいずれかの操作を行う。
【０１０８】
ここで、携帯電話端末機１０は、ステップＳ２６において、ユーザＵＳが操作子を押下し続けている場合には、ステップＳ２３からの処理を繰り返し、次のメニュー項目の読み上げに移行する一方で、ユーザＵＳが操作子を離した場合には、ステップＳ２７において、メニュー項目の読み上げを停止し、ステップＳ２８において、操作子を離した時点でのメニュー項目が選択されたものとして、一連の処理を終了する。
【０１０９】
商品・サービス受発注システムにおいては、このような操作を全てのメニュー（ゾーン）についての選択操作に適用することにより、容易且つ確実に所望の商品及び／又はサービスの注文を行うことが可能となる。
【０１１０】
また、第２の方法としては、携帯電話端末機１０が大分類商品・サービスカテゴリの音声カタログに登録されている商品及び／又はサービスカテゴリ名を順次読み上げる際に、所望の商品及び／又はサービスカテゴリ名が読み上げられた後に、任意の操作子を押下することにより、下位の中分類商品・サービスカテゴリの選択操作に移行することが考えられる。
【０１１１】
具体的には、携帯電話端末機１０は、図３７に示すように、ステップＳ３１において、メニュー選択のための音声ガイダンスを読み上げた上で、ステップＳ３２において、任意の操作子が押下されるのに応じてメニュー項目の選択を開始し、ステップＳ３３において、メニュー画像を表示画面に表示するとともに、ステップＳ３４において、メニュー項目を読み上げる。そして、携帯電話端末機１０は、１つのメニュー項目を読み上げると、ステップＳ３５において、所定の短時間だけ無音状態とする。このとき、ユーザＵＳは、任意の操作子を押下するか否かのいずれかの操作を行う。
【０１１２】
ここで、携帯電話端末機１０は、ステップＳ３６において、ユーザＵＳが操作子を押下していない場合には、ステップＳ３３からの処理を繰り返し、次のメニュー項目の読み上げに移行する一方で、ユーザＵＳが操作子を押下した場合には、ステップＳ３７において、メニュー項目の読み上げを停止し、ステップＳ３８において、操作子を押下した時点でのメニュー項目が選択されたものとして、一連の処理を終了する。
【０１１３】
商品・サービス受発注システムにおいては、このような操作を全てのメニュー（ゾーン）についての選択操作に適用することによっても、容易且つ確実に所望の商品及び／又はサービスの注文を行うことが可能となる。なお、携帯電話端末機１０は、操作子を１回だけ押下するのに応じて、下位のカテゴリのメニュー項目の選択操作に移行するのではなく、メニュー項目とともに読み上げる番号と同じ回数だけ、任意の操作子を押下することにより、下位のカテゴリのメニュー項目の選択操作に移行するようにしてもよい。
【０１１４】
このように、本発明は、任意の操作子の操作によって確実に商品及び／又はサービスの注文を行うことができ、視覚障害者にとって極めてフレンドリーなインターフェースを提供することができる。
【０１１５】
また、本発明は、携帯電話端末機１０を操作する際に、任意の操作子の操作ではなく、指定された操作子の操作を要求するようにしてもよい。しかしながら、携帯電話端末機１０を操作する際に、読み上げられた商品及び／又はサービスに対応する指定された操作子の操作を要するのは、視覚障害者にとっては利便がよくないおそれがある。そこで、商品・サービス受発注システムにおいては、このような操作を要求する場合には、サービスを利用する際に、携帯電話端末機１０に着脱自在とされるカバーであって当該携帯電話端末機１０の操作子が並設された領域を被覆することによって操作を補助する構造とされる所定の専用カバーをユーザＵＳに提供するのが望ましい。これにより、商品・サービス受発注システムにおいては、携帯電話端末機１０の操作子が並設された領域をカバーで被覆し、携帯用アプリケーションプログラムによって読み上げられる音声ガイダンスにしたがって容易に操作することが可能となる。
【０１１６】
さらに、上述した実施の形態では、携帯電話端末機１０とサーバ装置２０との間で最初に通信路を確立する際に認証を行うものとして説明したが、本発明は、認証にもゾーンの概念を用いることができる。すなわち、商品・サービス受発注システムにおいては、ゾーン毎にＩＤやパスワード、暗証番号といった数桁の情報を、最初の認証の際に行われる方法と同様にして入力し、この情報に基づいて認証を行うようにしてもよい。また、商品・サービス受発注システムにおいては、全てのゾーンについて認証を行うのではなく、エントリー部分やラスト部分等、ケースによって認証を行う場面を変化させるようにしてもよい。
【０１１７】
さらにまた、本発明は、商品及び／又はサービス等の選択のために、携帯電話端末機１０における各種操作子のうち、数字を入力する操作子以外に、例えば、かな文字やアルファベット、記号、ハングル文字といったように、携帯電話端末機１０を使用する国や地域に応じて、数字以外の任意の文字を入力する操作子を用いるようにしてもよい。
【０１１８】
また、上述した実施の形態では、視覚障害者を主たるターゲットとしていたため、必ず音声読み上げを行うものとして説明したが、本発明は、例えば健常者等のように、音声情報に頼らずとも注文操作を行うことができるユーザＵＳの場合には画面表示のみとする、といったように、音声出力や画面表示の有無を任意に切り替えるような仕組みを設けてもよい。
【０１１９】
さらに、上述した実施の形態では、携帯電話端末機１０が音声ファイル及びメニューファイルを格納し、これに基づいて当該携帯電話端末機１０が処理を行うことにより、音声ファイルの読み上げを行うものとして説明したが、本発明は、サーバ装置２０が音声ファイル及びメニューファイルを格納し、ガイダンスの際に携帯電話端末機１０とサーバ装置２０との間で逐次通信を行うのに応じて、当該サーバ装置２０がメニューファイルに基づいて適切な音声ファイルを検索し、これを当該携帯電話端末機１０に対して逐次配信して読み上げさせる仕組みであってもよい。
【０１２０】
さらにまた、上述した実施の形態では、商品・サービス受発注システムであるものとして説明したが、本発明は、例えば、施設の予約を受け付ける予約システムやアンケートに対する回答を行うアンケート回答システムといったように、所定の商品及び／又はサービスを提供する業種であればいかなるものであっても適用することができる。本発明にかかる商品・サービス受発注システムは、かかる他のシステムも含む概念である。
【０１２１】
また、上述した実施の形態では、ユーザ端末機として携帯電話端末機１０を用いるものとして説明したが、本発明は、例えば、いわゆる簡易型携帯電話システム（Personal Handyphone System；ＰＨＳ）や携帯情報端末機（Personal Digital Assistants；ＰＤＡ）といった携帯型の情報処理端末機の他、デスクトップ型又はノートブック型のパーソナルコンピュータをはじめとする情報処理端末機であっても適用することができる。
【０１２２】
さらに、上述した実施の形態では、携帯用アプリケーションプログラムとしてＪＡＶＡ（登録商標）アプリケーションプログラムによって構成したものを用いるものとして説明したが、本発明は、ＪＡＶＡ（登録商標）アプリケーションプログラムに限るものではなく、同様の機能を実現することができるアプリケーションプログラムであれば、例えばＢＲＥＷ（Binary Runtime Environment for Wireless）（登録商標）環境に基づくアプリケーションプログラム等、任意のアプリケーションプログラムを適用することができる。
【０１２３】
同様に、上述した実施の形態では、携帯電話端末機１０にＳＯＡＰやＸＭＬパーサが実装されるものとして説明したが、本発明は、サーバ装置とユーザ端末機との間で行うメッセージ交換の形式としては、かかるＳＯＡＰ／ＸＭＬ形式以外のものを適用してもよい。
【０１２４】
このように、本発明は、その趣旨を逸脱しない範囲で適宜変更が可能であることはいうまでもない。
【図面の簡単な説明】
【０１２５】
【図１】本発明の実施の形態として示す商品・サービス受発注システムの基本的な構成を説明する図である。
【図２】同商品・サービス受発注システムの具体的な構成を説明する図である。
【図３（ａ）】同商品・サービス受発注システムにおける携帯電話端末機を用いた操作子操作の例を説明する図であり、商品及び／又はサービスを選択操作する様子を説明するための図である。
【図３（ｂ）】同商品・サービス受発注システムにおける携帯電話端末機を用いた操作子操作の例を説明する図であり、商品及び／又はサービスを決定操作する様子を説明するための図である。
【図３（ｃ）】同商品・サービス受発注システムにおける携帯電話端末機を用いた操作子操作の例を説明する図であり、商品及び／又はサービスをキャンセル操作する様子を説明するための図である。
【図３（ｄ）】同商品・サービス受発注システムにおける携帯電話端末機を用いた操作子操作の例を説明する図であり、図３(ａ)にて選択された商品及び／又はサービスとは異なる商品及び／又はサービスを選択操作する様子を説明するための図である。
【図３（ｅ）】同商品・サービス受発注システムにおける携帯電話端末機を用いた操作子操作の例を説明する図であり、支払い及び注文確定を示す音声ガイダンスにしたがった操作子操作を行う様子を説明するための図である。
【図４（ａ）】同商品・サービス受発注システムにおける携帯電話端末機に表示される表示画面の例を説明する図である。
【図４（ｂ）】同商品・サービス受発注システムにおける携帯電話端末機に表示される表示画面の例を説明する図であり、商品及び／又はサービスをイラストとして表示する様子を説明するための図である。
【図４（ｃ）】同商品・サービス受発注システムにおける携帯電話端末機に表示される表示画面の例を説明する図であり、背景色や文字色等を変更した様子を説明するための図である。
【図４（ｄ）】同商品・サービス受発注システムにおける携帯電話端末機に表示される表示画面の例を説明する図であり、文字の大きさを任意倍率に変更した様子を説明するための図である。
【図４（ｅ）】同商品・サービス受発注システムにおける携帯電話端末機を家庭用テレビジョン等に接続した様子を説明する図である。
【図５】商品及び／又はサービスの分類毎に階層化されたイラストデータの例を説明する図である。
【図６】同商品・サービス受発注システムにおいて商品及び／又はサービスの受発注を行う際の一連の工程を、携帯電話端末機とサーバ装置との間で授受される情報を用いて説明する図である。
【図７】同商品・サービス受発注システムにおける携帯電話端末機を用いた操作子操作の例を説明する図であり、パスワードを入力する様子を説明するための図である。
【図８】同商品・サービス受発注システムにおける携帯電話端末機を用いた操作子操作の例を説明する図であり、メニューを選択する様子を説明するための図である。
【図９】同商品・サービス受発注システムにおいてゾーンに区分けされた分類に基づいて、商品及び／又はサービスを絞り込む選択動作を行う様子を説明するための図である。
【図１０（ａ）】同商品・サービス受発注システムにおける携帯電話端末機を用いた操作子操作の例を説明する図であり、大分類商品・サービスカテゴリを選択操作する様子を説明するための図である。
【図１０（ｂ）】同商品・サービス受発注システムにおける携帯電話端末機を用いた操作子操作の例を説明する図であり、中分類商品・サービスカテゴリを選択操作する様子を説明するための図である。
【図１０（ｃ）】同商品・サービス受発注システムにおける携帯電話端末機を用いた操作子操作の例を説明する図であり、小分類商品・サービスカテゴリを選択操作する様子を説明するための図である。
【図１０（ｄ）】同商品・サービス受発注システムにおける携帯電話端末機を用いた操作子操作の例を説明する図であり、商品及び／又はサービス毎の注文数を入力操作する様子を説明するための図である。
【図１０（ｅ）】同商品・サービス受発注システムにおける携帯電話端末機を用いた操作子操作の例を説明する図であり、商品及び／又はサービス毎の注文数を確定操作する様子を説明するための図である。
【図１０（ｆ）】同商品・サービス受発注システムにおける携帯電話端末機を用いた操作子操作の例を説明する図であり、商品及び／又はサービスを注文して他の買い物を継続するためのメニュー、当該商品及び／又はサービスを注文して買い物を終了するためのメニュー、当該商品及び／又はサービスの注文をキャンセルするためのメニューを選択操作する様子を説明するための図である。
【図１１】同商品・サービス受発注システムにおける携帯電話端末機を用いた操作子操作の例を説明する図であり、商品及び／又はサービスを注文して買い物を終了するためのメニューが選択された場合の操作子操作を説明するための図である。
【図１２】商品及び／又はサービスに関する情報を登録するための登録画面の例を説明する図である。
【図１３】商品及び／又はサービスが属する分類を登録するための登録画面の例を説明する図である。
【図１４】所定の録音用携帯アプリケーションプログラムを用いて録音された音声データを、同商品・サービス受発注システムにおけるサーバ装置に登録する様子を説明するための図である。
【図１５】顧客たるユーザに関する情報を登録するための登録画面の例を説明する図である。
【図１６】ユーザからの注文を確認するための注文確認画面の例を説明する図である。
【図１７】同商品・サービス受発注システムにおける携帯電話端末機に実装される携帯用アプリケーションプログラムとサーバ装置との概略的な構成を説明するブロック図である。
【図１８】同商品・サービス受発注システムにおける携帯電話端末機が備える端末設定データベースの内容を説明する図である。
【図１９】同商品・サービス受発注システムにおける携帯電話端末機が備えるメニューデータベースの内容を説明する図である。
【図２０】同商品・サービス受発注システムにおける携帯電話端末機が備える買い物籠データベースの内容を説明する図である。
【図２１】同商品・サービス受発注システムにおける携帯電話端末機が備えるブックマークデータベースの内容を説明する図である。
【図２２】同商品・サービス受発注システムにおけるサーバ装置が備える顧客データベースの内容を説明する図である。
【図２３】同商品・サービス受発注システムにおけるサーバ装置が備える注文データベースの内容を説明する図である。
【図２４】同商品・サービス受発注システムにおけるサーバ装置が備える商品データベースの内容を説明する図である。
【図２５】同商品・サービス受発注システムにおけるサーバ装置が備える商品分類データベースの内容を説明する図である。
【図２６】音声ファイルの分類を説明する図である。
【図２７】項目名を示す音声ファイルの分類を説明する図である。
【図２８】メニューファイルの具体的な例を説明する図である。
【図２９】メニューファイルの内容を説明する図である。
【図３０】メニューファイルのスタック領域を説明する図である。
【図３１】買い物内容を示す情報をメニューファイルと同一フォーマットのファイル形式でファイル化する様子を説明するための図である。
【図３２】ブックマークとして登録する商品及び／又はサービスの詳細情報をメニューファイルと同一フォーマットのファイル形式でファイル化する様子を説明するための図である。
【図３３】ユーザにあわせた音声カタログのチューニングの方法を説明する図である。
【図３４】同商品・サービス受発注システムにおいて、チューニングをともなった音声ファイルの読み上げを行う際の一連の手順を説明するフローチャートである。
【図３５】同商品・サービス受発注システムにおける携帯電話端末機において、文字の大きさを所定の倍率に拡大する際の一連の手順を説明するフローチャートである。
【図３６】同商品・サービス受発注システムにおける携帯電話端末機において、押下している任意の操作子を離すことによって選択操作を行う際の一連の手順を説明するフローチャートである。
【図３７】同商品・サービス受発注システムにおける携帯電話端末機において、任意の操作子を押下することによって選択操作を行う際の一連の手順を説明するフローチャートである。
【符号の説明】
【０１２６】
１０，５０  携帯電話端末機
２０，２０１，２０２，３０  サーバ装置
４０  情報処理装置
５１  端末認証要求機能部
５２  商品・サービス選択機能部
５３  買い物籠機能部
５４  発注機能部
５５  キャンセル要求機能部
５６  ブックマーク機能部
５７  注文履歴確認機能部
５８  ファイルダウンロード機能部
５９  チューニング機能部
６１  端末設定記憶部
６２  メニュー記憶部
６３  買い物籠記憶部
６４  ブックマーク記憶部
６５  音声ファイル群記憶部
７１  端末認証機能部
７２  受注機能部
７３  キャンセル機能部
７４  注文履歴送信機能部
７５  ファイル送信機能部
８１  顧客データベース
８２  注文データベース
８３  商品・サービスデータベース
８４  音声データベース
ＤＬＳＶ  宅配サービス業者
ＧＤＤＬ  納入業者
ＭＶＯＳ  音声カタログ提供業者
ＵＳ  ユーザ
【図１】
2006048663.tif 000003
【図２】
2006048663.tif 000004
【図３（ａ）】
2006048663.tif 000005
【図３（ｂ）】
2006048663.tif 000006
【図３（ｃ）】
2006048663.tif 000007
【図３（ｄ）】
2006048663.tif 000008
【図３（ｅ）】
2006048663.tif 000009
【図４（ａ）】
2006048663.tif 000010
【図４（ｂ）】
2006048663.tif 000011
【図４（ｃ）】
2006048663.tif 000012
【図４（ｄ）】
2006048663.tif 000013
【図４（ｅ）】
2006048663.tif 000014
【図５】
2006048663.tif 000015
【図６】
2006048663.tif 000016
【図７】
2006048663.tif 000017
【図８】
2006048663.tif 000018
【図９】
2006048663.tif 000019
【図１０（ａ）】
2006048663.tif 000020
【図１０（ｂ）】
2006048663.tif 000021
【図１０（ｃ）】
2006048663.tif 000022
【図１０（ｄ）】
2006048663.tif 000023
【図１０（ｅ）】
2006048663.tif 000024
【図１０（ｆ）】
2006048663.tif 000025
【図１１】
2006048663.tif 000026
【図１２】
2006048663.tif 000027
【図１３】
2006048663.tif 000028
【図１４】
2006048663.tif 000029
【図１５】
2006048663.tif 000030
【図１６】
2006048663.tif 000031
【図１７】
2006048663.tif 000032
【図１８】
2006048663.tif 000033
【図１９】
2006048663.tif 000034
【図２０】
2006048663.tif 000035
【図２１】
2006048663.tif 000036
【図２２】
2006048663.tif 000037
【図２３】
2006048663.tif 000038
【図２４】
2006048663.tif 000039
【図２５】
2006048663.tif 000040
【図２６】
2006048663.tif 000041
【図２７】
2006048663.tif 000042
【図２８】
2006048663.tif 000043
【図２９】
2006048663.tif 000044
【図３０】
2006048663.tif 000045
【図３１】
2006048663.tif 000046
【図３２】
2006048663.tif 000047
【図３３】
2006048663.tif 000048
【図３４】
2006048663.tif 000049
【図３５】
2006048663.tif 000050
【図３６】
2006048663.tif 000051
【図３７】
2006048663.tif 000052